(57)【要約】【課題】薬剤のピッキング及び監査作業を効率良くかつ簡単に行うことができるとともに、薬剤の取り間違い及び計数間違いを防止できる調剤監査システムを提供すること。【解決手段】調剤カゴ毎に付されるカゴＩＣタグ３と、薬剤の品目毎に付される薬剤ＩＣタグ５と、電子秤７と、携帯端末１０と、サーバ２０とを含んで構成される調剤監査システム１であって、サーバ２０が、カゴＩＣタグの情報、調剤カゴの情報、薬剤ＩＣタグの情報、薬剤の情報、患者の処方箋情報及び調剤監査の情報を関連付けて記憶する記憶部を備え、携帯端末１０が、調剤カゴの情報、ピッキング薬剤の情報及び患者の処方箋情報を関連付けた態様で表示する表示手段と、ピッキング薬剤の情報と患者の処方箋情報とに基づいて薬剤の品目監査を行う品目監査手段と、ピッキング薬剤の情報と秤量データと処方薬剤の重量情報とに基づいて薬剤の重量監査を行う重量監査手段とを装備する。【選択図】図１
2016218998.tif 000002
【特許請求の範囲】
【請求項１】
薬剤の秤量データを送信する機能を備えた秤量手段と、調剤カゴ毎に付されるカゴＩＣタグ及び薬剤の品目毎に付される薬剤ＩＣタグの読取手段と、携帯端末と、該携帯端末と通信可能なサーバとを含んで構成される調剤監査システムであって、
前記サーバが、
前記カゴＩＣタグの情報、これら各カゴＩＣタグに関連付けられた調剤カゴの情報、前記薬剤ＩＣタグの情報、これら各薬剤ＩＣタグに関連付けられた薬剤の情報、患者の処方箋情報、及び調剤監査の情報を関連付けて記憶する記憶部を備え、
前記携帯端末が、
前記読取手段で読み取った前記カゴＩＣタグに関連付けられた調剤カゴの情報、前記読取手段で読み取った前記薬剤ＩＣタグに関連付けられたピッキング薬剤の情報、及び当該調剤カゴに調剤する患者の処方箋情報を関連付けた態様で表示部に表示する表示手段を備え、
前記サーバ又は前記携帯端末が、
前記調剤カゴの情報に関連付けられた前記ピッキング薬剤の情報と、前記調剤カゴの情報に関連付けられた前記患者の処方箋情報とに基づいて、薬剤の品目監査を行う品目監査手段と、
前記調剤カゴの情報に関連付けられた前記ピッキング薬剤の情報と、前記秤量手段の秤量データと、前記調剤カゴの情報に関連付けられた前記患者の処方箋情報に含まれる処方薬剤の重量情報とに基づいて、薬剤の重量監査を行う重量監査手段とを備えていることを特徴とする調剤監査システム。
【請求項２】
前記携帯端末が、前記読取手段で読み取った前記カゴＩＣタグの情報を前記サーバへ送信した後、該サーバから前記カゴＩＣタグの情報と関連付けられた前記患者の処方箋情報又は前記患者の調剤監査の情報を受信した場合、
前記表示手段が、前記カゴＩＣタグに関連付けられた前記調剤カゴの情報と、前記患者の処方箋情報又は前記患者の調剤監査の情報とを関連付けて前記表示部に表示する機能を備えていることを特徴とする請求項１記載の調剤監査システム。
【請求項３】
前記表示手段が、
前記調剤カゴに調剤していく患者の処方薬剤の情報と、前記ピッキング薬剤の情報と、前記品目監査手段及び／又は前記重量監査手段による監査を完了した薬剤の情報とを切り換え可能な態様で表示することを特徴とする請求項１又は請求項２記載の調剤監査システム。
【請求項４】
前記表示手段が、
前記調剤カゴに調剤していく患者の処方薬剤を表示する場合に、ピッキング済の薬剤と未ピッキングの薬剤とを識別可能な態様で表示することを特徴とする請求項１〜３のいずれかの項に記載の調剤監査システム。
【請求項５】
前記携帯端末が、
前記表示部に表示された前記ピッキング薬剤の処方重量データと、前記サーバから受信した前記秤量データとを前記表示部に表示させる重量表示手段を備えていることを特徴とする請求項１〜４のいずれかの項に記載の調剤監査システム。
【請求項６】
前記携帯端末が、
前記サーバから受信した前記ピッキング薬剤の情報に取扱注意情報が含まれている場合、該取扱注意情報を報知する注意情報報知手段を備えていることを特徴とする請求項１〜５のいずれかの項に記載の調剤監査システム。
【請求項７】
前記薬剤ＩＣタグの識別情報に関連付けられた薬剤の情報には、該薬剤の薬局内配置場所に関する情報が含まれ、
前記表示手段が、
前記表示部に表示された前記患者の処方薬剤が選択されると、当該選択された薬剤の薬局内配置場所に関する情報を表示することを特徴とする請求項１〜６のいずれかの項に記載の調剤監査システム。
【請求項８】
前記携帯端末が、
前記カゴＩＣタグに関連付ける調剤カゴの情報を前記サーバに登録するための調剤カゴ情報登録手段と、
前記薬剤ＩＣタグに関連付ける薬剤の情報を前記サーバに登録するための薬剤情報登録手段とを備えていることを特徴とする請求項１〜７のいずれかの項に記載の調剤監査システム。
【請求項９】
前記携帯端末が、
前記品目監査手段及び前記重量監査手段による監査が終了した場合に、当該監査した情報を監査履歴として登録するように前記サーバへ指示する監査履歴登録指示手段を備え、
前記サーバが、
前記携帯端末から受信した前記監査履歴の登録指示に基づいて、前記監査した情報を監査履歴として前記記憶部に登録する監査履歴登録手段を備えていることを特徴とする請求項１〜８のいずれかの項に記載の調剤監査システム。
【請求項１０】
前記携帯端末が、
前記調剤カゴに調剤していく患者の監査履歴を前記サーバから取得して前記表示部に表示させる監査履歴表示手段を備えていること特徴とする請求項９記載の調剤監査システム。
【請求項１１】
前記携帯端末が、
撮像手段と、該撮像手段により撮像された監査済薬剤の撮像データを前記サーバへ送信する撮像データ送信手段とを備え、
前記サーバの前記監査履歴登録手段が、前記携帯端末から受信した前記撮像データを前記監査した情報に関連付けて監査履歴として登録することを特徴とする請求項９又は請求項１０記載の調剤監査システム。
【請求項１２】
前記サーバの前記記憶部に、前記携帯端末の操作を許可するためのＩＣカードの識別情報と該ＩＣカードの所有者情報とを関連付けたログイン認証情報が記憶され、
前記携帯端末が、
前記読取手段で読み取った前記ＩＣカードの識別情報を前記サーバへ送信し、該サーバからログイン許可信号を受信した場合に、当該携帯端末の操作を許可する認証手段を備えていることを特徴とする請求項１〜１１のいずれかの項に記載の調剤監査システム。
【請求項１３】
前記携帯端末が、
入力された音声に基づいて薬剤名を認識する音声認識手段と、
該音声認識手段により音声認識された薬剤の情報を提示する薬剤情報提示手段とを備えていることを特徴とする請求項１〜１２のいずれかの項に記載の調剤監査システム。
【請求項１４】
前記薬剤ＩＣタグには、インターネット上の薬剤情報提供サイトにアクセスして、当該タグの識別情報に関連付けられた薬剤の情報を前記携帯端末の前記表示部に表示させる機能を有するプログラムが記憶されていること特徴とする請求項１〜１３いずれかの項に記載の調剤監査システム。
【請求項１５】
前記サーバ及び前記携帯端末が、内部電源により駆動するように構成されていることを特徴とする請求項１〜１４のいずれかの項に記載の調剤監査システム。
【請求項１６】
調剤カゴ毎に付されるカゴＩＣタグと、薬剤の品目毎に付される薬剤ＩＣタグと、薬剤の秤量データを送信する機能を備えた秤量手段と、前記カゴＩＣタグ及び前記薬剤ＩＣタグの読取手段と、携帯端末と、該携帯端末と通信可能なサーバとを用いて行う調剤監査方法であって、
前記サーバが、
前記カゴＩＣタグの情報、これら各カゴＩＣタグに関連付けられた調剤カゴの情報、前記薬剤ＩＣタグの情報、これら各薬剤ＩＣタグに関連付けられた薬剤の情報、患者の処方箋情報、及び調剤監査の情報を記憶部に関連付けて記憶するステップを含み、
前記携帯端末が、
前記読取手段で読み取った前記カゴＩＣタグに関連付けられた調剤カゴの情報、前記読取手段で読み取った前記薬剤ＩＣタグに関連付けられたピッキング薬剤の情報、及び当該調剤カゴに調剤する患者の処方箋情報を関連付けた態様で表示部に表示するステップを含み、
前記サーバ又は前記携帯端末が、
前記調剤カゴの情報に関連付けられた前記ピッキング薬剤の情報と、前記調剤カゴの情報に関連付けられた前記患者の処方箋情報とに基づいて、薬剤の品目監査を行う品目監査ステップと、
前記調剤カゴの情報に関連付けられた前記ピッキング薬剤の情報と、前記秤量手段からの秤量データと、前記調剤カゴの情報に関連付けられた前記患者の処方箋情報に含まれる処方薬剤の重量情報とに基づいて、薬剤の重量監査を行う重量監査ステップとを含むことを特徴とする調剤監査方法。
【請求項１７】
前記携帯端末が、
前記読取手段で読み取った前記カゴＩＣタグの情報を前記サーバへ送信した後、該サーバから前記カゴＩＣタグの情報と関連付けられた前記患者の処方箋情報又は前記患者の調剤監査の情報を受信した場合、
前記カゴＩＣタグに関連付けられた前記調剤カゴの情報と、前記患者の処方箋情報又は前記患者の調剤監査の情報とを関連付けて前記表示部に表示するステップを含むことを特徴とする請求項１６記載の調剤監査方法。
【請求項１８】
前記携帯端末が、
前記品目監査ステップ及び前記重量監査ステップによる監査が終了した場合に、当該監査した情報を監査履歴として登録するように前記サーバへ指示する監査履歴登録指示ステップを含み、
前記サーバが、
前記携帯端末から受信した前記監査履歴の登録指示に基づいて、前記監査した情報を監査履歴として前記記憶部に登録する監査履歴登録ステップを含むことを特徴とする請求項１６又は請求項１７記載の調剤監査方法。
【請求項１９】
請求項１〜１３のいずれかの項に記載の前記携帯端末としてコンピュータを機能させるための調剤監査プログラム。
【請求項２０】
請求項１〜１３のいずれかの項に記載の前記サーバとしてコンピュータを機能させるための調剤監査プログラム。
【請求項２１】
薬剤の識別情報、患者の処方箋情報、及び調剤された薬剤の監査情報を関連付けて記憶する記憶手段と、
調剤対象患者の処方薬剤の情報を含む情報を表示部に表示する表示手段と、
薬剤の識別情報を読み取る読取手段と、
該読取手段により薬剤の識別情報が読み取られた場合に、前記記憶手段から読み出された前記調剤対象患者の処方箋情報に基づいて、前記読み取られた薬剤の品目を自動的に監査する品目監査手段と、
薬剤を秤量する秤量手段と、
該秤量手段により薬剤が秤量された場合に、前記記憶手段から読み出された前記調剤対象患者の処方箋情報に基づいて、前記秤量された薬剤の重量を自動的に監査する重量監査手段と、
前記品目監査手段及び前記重量監査手段により監査された前記調剤対象患者の調剤監査結果を自動的に前記記憶手段に登録する監査結果登録手段とを備え、
前記表示手段が、前記監査結果登録手段による登録が行われた場合に、自動的に次の調剤対象患者の処方薬剤の情報に切り替えて表示する患者情報切替手段を備えていることを特徴とする調剤監査システム。
【請求項２２】
前記秤量手段により秤量された薬剤を撮像可能な撮像手段と、
該撮像手段により撮像された薬剤の撮像データを、前記調剤対象患者の調剤監査結果と関連付けて前記記憶手段に登録する撮像データ登録手段とを備えていることを特徴とする請求項２１記載の調剤監査システム。
【請求項２３】
前記表示手段が、
前記調剤対象患者の処方薬剤を前記表示部に一覧表示させ、
前記品目監査手段により品目監査が実行された薬剤の表示形態を変化させ、
前記重量監査手段により重量監査が実行された薬剤の表示形態を変化させる表示形態切替手段を備えていることを特徴とする請求項２１又は請求項２２記載の調剤監査システム。
【請求項２４】
前記表示手段が、
前記品目監査手段、前記重量監査手段、及び／又は前記監査結果登録手段による監査・登録の経過情報を表示する経過情報表示手段を備えていることを特徴とする請求項２１〜２３のいずれかの項に記載の調剤監査システム。
【請求項２５】
携帯端末と、該携帯端末と通信可能なサーバとを含んで構成され、
前記携帯端末が、
前記表示手段の機能を有するとともに、
前記読取手段及び前記秤量手段からのデータを取り込む取込手段を備え、
前記サーバが、
前記記憶手段の機能を有し、
前記携帯端末と前記サーバとが通信することにより、前記品目監査手段、前記重量監査手段、及び前記監査結果登録手段の機能を実現するように構成されていることを特徴とする請求項２１〜２４のいずれかの項に記載の調剤監査システム。
【請求項２６】
薬剤の識別情報、患者の処方箋情報、及び調剤された薬剤の監査情報を関連付けて記憶する記憶手段を有するサーバと、
薬剤の識別情報を読み取る読取手段と、
薬剤を秤量する秤量手段と、
調剤対象患者の処方薬剤の情報を含む情報を表示部に表示する表示手段と、前記読取手段及び前記秤量手段からのデータを取り込む取込手段とを有する携帯端末とを用い、
前記携帯端末と前記サーバとが通信しながら行う調剤監査方法であって、
前記読取手段により薬剤の識別情報が読み取られた場合に、前記記憶手段から読み出された前記調剤対象患者の処方箋情報に基づいて、前記読み取られた薬剤の品目を自動的に監査する品目監査ステップと、
前記秤量手段により薬剤が秤量された場合に、前記記憶手段から読み出された前記調剤対象患者の処方箋情報に基づいて、前記秤量された薬剤の重量を自動的に監査する重量監査ステップと、
前記品目監査ステップ及び前記重量監査ステップにより監査された前記調剤対象患者の調剤監査結果を自動的に前記記憶手段に登録する監査結果登録ステップと、
前記監査結果登録ステップにより登録が行われた場合に、自動的に次の調剤対象患者の処方薬剤の情報に切り替えて前記表示部に表示する患者情報切替ステップとを含んでいることを特徴とする調剤監査方法。
【発明の詳細な説明】
【技術分野】
【０００１】
本発明は調剤監査システム、調剤監査方法、及び調剤監査プログラムに関し、より詳細には薬の調剤誤りを防止するための調剤監査システム、調剤監査方法、及び調剤監査プログラムに関する。
【背景技術】
【０００２】
従来から薬局では、患者から処方箋を預かり、調剤者（薬剤師）が処方箋の内容を確認して、処方箋どおりに薬を取り揃えるピッキング（計数調剤）作業を行い、その後、調剤された薬が処方箋どおりに調剤されているかどうかを確認（監査）し、監査に問題がなければ、患者に服薬の指導説明及び調剤した薬剤の交付を行うようになっている。
【０００３】
しかしながら、上記したような調剤者の目視によるピッキング作業及び監査作業だけでは、調剤者の不注意等により医薬品の取り間違いや計数間違いといった調剤誤りが生じるおそれがあった。そのため、このような調剤誤りを防止するためのシステムが従来から提案されている。
【０００４】
図３１は、下記の特許文献１に開示された従来の調剤検品方法を説明するための図である。図示しない薬剤棚に薬剤収納体６０が多数個配列され、各薬剤収納体６０に薬剤２１０の品目を特定するバーコード部（薬剤バーコード）７０が付されている。まず、ステップＳ２１１では、患者から受け取った処方箋２３３の受付順番を示す処方箋受付番号票２３０と処方箋受付番号が印刷された処方箋受付シール２３１とを処方箋受付機２２０で発行する。
【０００５】
ステップＳ２１２において、前記受け取った処方箋２３３に前記処方箋受付シール２３１を貼着し、ステップＳ２１３において、前記受け取った処方箋２３３の内容（年月日、患者名、処方された薬剤の品目名、調剤量等）を処方箋受付番号ごとに調剤データとして電子処理装置２４０に入力する。
【０００６】
電子処理装置２４０では、処方箋受付番号ごとに患者識別コード及び調剤データなどが記憶される。なお、薬剤名とそれに対応する薬剤バーコード（ＪＡＮコード）とが予め対応付けられたデータベースが電子処理装置２４０に記憶されている。
【０００７】
次に、ステップＳ２１４において、処方箋受付番号ごとの患者識別コードと調剤データとを、電子処理装置２４０から別のコンピュータ２４１に伝送し、さらにハンディターミナル２４２のメモリ内に伝送する。
【０００８】
次にステップＳ２１５の調剤作業に際して、まず、作業者は処方箋２３３の処方箋受付シール２３１を見ながらハンディターミナル２４２のキー入力部２４２ａを用いて処方箋受付番号をキー入力する。すると、ハンディターミナル２４２における画面表示装置２４２ｂに調剤画面（調剤録画面）２４３が表示される。この調剤画面２４３には、処方箋受付番号、患者名、薬剤、及び数量（調剤量）などが表示される。
【０００９】
次に作業者は、処方箋２３３に記載された薬剤が収納された薬剤収納体６０を図示しない薬剤棚から取り出し、そのバーコード部７０をハンディターミナル２４２でスキャンする。ハンディターミナル２４２では、読み取ったバーコード部７０の薬剤バーコードと、予め記憶されている薬剤バーコードとが一致するか否かを照合し、両者が一致すれば、調剤画面２４３の対応する薬剤に一致マークが表示される。その後、作業者は、画面２４３に表示されている調剤量（錠数等）の薬剤を薬剤収納体６０から取り出す。一方、一致していないときは、ハンディターミナル２４２に内蔵された警報器により警報音が発せられ、該警報音によって誤りに気付いた作業者は、正しい薬剤収納体６０を選択する作業を行う。
【００１０】
一致した薬剤を所定の調剤量だけ取り出した後、作業者がキー入力部２４２ａの「ＯＫ」キーを押すと、一つの薬剤に関する調剤作業が終了し、次の薬剤を取り出すために上述の作業を繰り返す。このようにして取り出された薬剤２１０は調剤かご２１２に入れられる（ステップＳ２１６）。また、プリンタ２４４にて薬袋２１３と薬剤情報せん２１４とが印刷され（ステップＳ２１７）、調剤かご２１２に入れられる。
【００１１】
その後、薬剤師が、前記処方箋受付番号票２３０と引き換えに、該当患者名を確認し、薬剤と薬剤情報箋２１４とを照合する最終確認を行った後、薬剤の用法等を患者に説明（薬剤指導）しつつ、薬袋２１３に移しかえて引き渡し（ステップＳ２１８）、薬価計算用コンピュータ２４０にて精算する。なお、前記薬剤指導した内容等を別のコンピュータ２４５等に入力して記録することも可能である。
【００１２】
しかしながら、上記した調剤検品システムでは、処方患者の調剤データがハンディターミナル２４２に転送されるより前（ステップＳ２１４の前）に、処方薬剤の薬剤収納体６０のバーコード部７０を読み取る作業（ステップＳ２１５）を進めることができない。したがって、ハンディターミナル２４２への調剤データの転送処理が完了するまで、処方薬剤の薬剤収納体６０のバーコード部７０の読み取り作業を待機しなければならず、調剤担当者が処方箋を受け取ったあとに、速やかに上記バーコード部７０の読取作業を開始することができないという課題があった。
また、調剤画面２４３に患者の情報を表示させるためには、患者毎に処方箋受付番号をキー入力しなければならず、キー入力部２４２ａに対する操作が煩雑となり、面倒であるという課題があった。
【００１３】
また、ステップＳ２１５による照合後、薬剤収納体６０から処方された調剤量（錠数等）の薬剤を取り出す作業が行われるが、取り出した薬剤の調剤量については、薬剤師による目視確認が行われるだけであるため、計数間違いがあった場合に不注意等により見落とされるおそれがあるという課題があった。
【先行技術文献】
【特許文献】
【００１４】
【特許文献１】特開２００２−２３６７４８号公報
【発明の概要】
【課題を解決するための手段及びその効果】
【００１５】
本発明は上記課題に鑑みなされたものであって、薬剤のピッキング（取り揃え）及び監査作業を効率良くかつ簡単に行うことができるとともに、薬剤の取り間違い及び計数間違いを防止できる、より正確な調剤監査を行うことができ、また安価に導入することができる調剤監査システム、調剤監査方法、及び調剤監査プログラムを提供することを目的としている。
【００１６】
上記目的を達成するために本発明に係る調剤監査システム（１）は、薬剤の秤量データを送信する機能を備えた秤量手段と、調剤カゴ毎に付されるカゴＩＣタグ及び薬剤の品目毎に付される薬剤ＩＣタグの読取手段と、携帯端末と、該携帯端末と通信可能なサーバとを含んで構成される調剤監査システムであって、前記サーバが、前記カゴＩＣタグの情報、これら各カゴＩＣタグに関連付けられた調剤カゴの情報、前記薬剤ＩＣタグの情報、これら各薬剤ＩＣタグに関連付けられた薬剤の情報、患者の処方箋情報、及び調剤監査の情報を関連付けて記憶する記憶部を備え、前記携帯端末が、前記読取手段で読み取った前記カゴＩＣタグに関連付けられた調剤カゴの情報、前記読取手段で読み取った前記薬剤ＩＣタグに関連付けられたピッキング薬剤の情報、及び当該調剤カゴに調剤する患者の処方箋情報を関連付けた態様で表示部に表示する表示手段を備え、前記サーバ又は前記携帯端末が、前記調剤カゴの情報に関連付けられた前記ピッキング薬剤の情報と、前記調剤カゴの情報に関連付けられた前記患者の処方箋情報とに基づいて、薬剤の品目監査を行う品目監査手段と、前記調剤カゴの情報に関連付けられた前記ピッキング薬剤の情報と、前記秤量手段の秤量データと、前記調剤カゴの情報に関連付けられた前記患者の処方箋情報に含まれる処方薬剤の重量情報とに基づいて、薬剤の重量監査を行う重量監査手段とを備えていることを特徴としている。
【００１７】
上記調剤監査システム（１）によれば、前記カゴＩＣタグと前記薬剤ＩＣタグとを使用することによって、前記携帯端末によるこれらタグの読取作業を簡単に行うことができ、薬剤のピッキング作業の効率を高めることができる。また、前記調剤カゴの情報と前記ピッキング薬剤の情報とが関連付けられるとともに、前記調剤カゴの情報と当該調剤カゴに調剤していく患者の処方箋情報とが関連付けられるので、前記調剤カゴの情報を共通にする前記ピッキング薬剤の情報と前記患者の処方箋情報とを関連付けた処理を行うことが可能となる。そのため、前記携帯端末の前記表示手段により、前記サーバから受信した前記調剤カゴの情報、前記ピッキング薬剤の情報、及び前記調剤カゴに調剤していく患者の処方箋情報を関連付けた態様、すなわち、前記調剤カゴ単位で表示部に表示させることができ、ピッキング作業の状態を把握しやすく表示することができる。さらに、前記調剤カゴ単位で前記品目監査手段による薬剤の品目監査と前記重量監査手段による薬剤の重量監査とを行うことができ、処方された薬剤の品目監査だけでなく薬剤の重量監査も前記調剤カゴ単位（換言すれば患者単位）で効率良く適切に行うことができ、薬剤の選択誤りだけでなく、秤量・計量の間違いの発生も防止することができ、これらの監査結果を適切に報知することが可能となる。
【００１８】
また本発明に係る調剤監査システム（２）は、上記調剤監査システム（１）において、前記携帯端末が、前記読取手段で読み取った前記カゴＩＣタグの情報を前記サーバへ送信した後、該サーバから前記カゴＩＣタグの情報と関連付けられた前記患者の処方箋情報又は前記患者の調剤監査の情報を受信した場合、前記表示手段が、前記カゴＩＣタグに関連付けられた前記調剤カゴの情報と、前記患者の処方箋情報又は前記患者の調剤監査の情報とを関連付けて前記表示部に表示する機能を備えていることを特徴としている。
【００１９】
上記調剤監査システム（２）によれば、前記携帯端末で前記カゴＩＣタグの情報を読み取った場合に、前記サーバから前記カゴＩＣタグの情報と関連付けられた前記調剤カゴの情報と、前記患者の処方箋情報又は前記患者の調剤監査の情報、すなわち、当該調剤カゴに調剤した前回の患者の情報を受信して、前記表示部に表示することができる。
例えば、前記調剤カゴに薬剤をピッキングして保管しておいた場合等において、当該調剤カゴに貼付された前記カゴＩＣタグを前記携帯端末にかざして読み取るだけで、前回の患者の情報（ピッキングしておいた薬剤の情報や監査履歴等の情報）を表示させることができる。したがって、調剤及び監査作業をスムーズに行うことが可能となり、利便性を高めることができる。
【００２０】
また本発明に係る調剤監査システム（３）は、上記調剤監査システム（１）又は（２）において、前記表示手段が、前記調剤カゴに調剤していく患者の処方薬剤の情報と、前記ピッキング薬剤の情報と、前記品目監査手段及び／又は前記重量監査手段による監査を完了した薬剤の情報とを切り換え可能な態様で表示することを特徴としている。
【００２１】
上記調剤監査システム（３）によれば、前記携帯端末の前記表示部に、前記患者の処方薬剤の情報と、前記ピッキング薬剤の情報と、前記監査を完了した薬剤の情報とを切り換え可能に表示させることができ、前記表示部が小さな場合であってもこれらの情報を簡単に確認することが可能となる。
【００２２】
また本発明に係る調剤監査システム（４）は、上記調剤監査システム（１）〜（３）のいずれかにおいて、前記表示手段が、前記調剤カゴに調剤していく患者の処方薬剤を表示する場合に、ピッキング済の薬剤と未ピッキングの薬剤とを識別可能な態様で表示することを特徴としている。
【００２３】
上記調剤監査システム（４）によれば、前記携帯端末の前記表示部に前記患者の処方薬剤を表示する場合に、ピッキング済の薬剤と未ピッキングの薬剤とを識別可能な態様で表示させるので、ピッキング済の薬剤と未ピッキングの薬剤との識別を容易に行うことが可能となり、未ピッキングの薬剤のピッキング作業をスムーズに行うことができる。
【００２４】
また本発明に係る調剤監査システム（５）は、上記調剤監査システム（１）〜（４）のいずれかにおいて、前記携帯端末が、前記表示部に表示された前記ピッキング薬剤の処方重量データと、前記サーバから受信した前記秤量データとを前記表示部に表示させる重量表示手段を備えていることを特徴としている。
【００２５】
上記調剤監査システム（５）によれば、前記ピッキング薬剤の処方重量データと、前記サーバから受信した前記秤量データとが前記携帯端末の前記表示部に表示されるので、適切な量の薬剤が秤量されているか否かを調剤担当者が判断することができ、秤量・計量間違いに早目に気付くことが可能となる。
【００２６】
また本発明に係る調剤監査システム（６）は、上記調剤監査システム（１）〜（５）のいずれかにおいて、前記携帯端末が、前記サーバから受信した前記ピッキング薬剤の情報に取扱注意情報が含まれている場合、該取扱注意情報を報知する注意情報報知手段を備えていることを特徴としている。
【００２７】
上記調剤監査システム（６）によれば、前記注意情報報知手段によって、取扱注意が必要な薬剤であることを調剤担当者に喚起させることができ、ピッキング作業の安全性を高めることができる。
【００２８】
また本発明に係る調剤監査システム（７）は、上記調剤監査システム（１）〜（６）のいずれかにおいて、前記薬剤ＩＣタグの識別情報に関連付けられた薬剤の情報には、該薬剤の薬局内配置場所に関する情報が含まれ、前記表示手段が、前記表示部に表示された前記患者の処方薬剤が選択されると、当該選択された薬剤の薬局内配置場所に関する情報を表示することを特徴としている。
【００２９】
上記調剤監査システム（７）によれば、前記処方薬剤の薬局内配置場所が分からない場合、前記選択された薬剤の薬局内配置場所に関する情報を前記携帯端末の前記表示部に表示させることができるので、当該薬剤の薬局内配置場所を簡単に把握することができ、ピッキング作業の効率を高めることができる。
【００３０】
また本発明に係る調剤監査システム（８）は、上記調剤監査システム（１）〜（７）のいずれかにおいて、前記携帯端末が、前記カゴＩＣタグに関連付ける調剤カゴの情報を前記サーバに登録するための調剤カゴ情報登録手段と、前記薬剤ＩＣタグに関連付ける薬剤の情報を前記サーバに登録するための薬剤情報登録手段とを備えていることを特徴としている。
【００３１】
上記調剤監査システム（８）によれば、前記カゴＩＣタグの識別情報に関連付ける調剤カゴの情報と、前記薬剤ＩＣタグの識別情報に関連付ける薬剤の情報とを、前記携帯端末を介して前記サーバに簡単に登録することができ、使い勝手の良いシステムとすることができる。
【００３２】
また本発明に係る調剤監査システム（９）は、上記調剤監査システム（１）〜（８）のいずれかにおいて、前記携帯端末が、前記品目監査手段及び前記重量監査手段による監査が終了した場合に、当該監査した情報を監査履歴として登録するように前記サーバへ指示する監査履歴登録指示手段を備え、前記サーバが、前記携帯端末から受信した前記監査履歴の登録指示に基づいて、前記監査した情報を監査履歴として前記記憶部に登録する監査履歴登録手段を備えていることを特徴としている。
【００３３】
上記調剤監査システム（９）によれば、前記品目監査手段及び前記重量監査手段による監査が終了した場合に、当該監査した情報を監査履歴として前記サーバの前記記憶部に登録することができ、該登録された情報を監査履歴として当該システムで利用することができる。
【００３４】
また本発明に係る調剤監査システム（１０）は、上記調剤監査システム（９）において、前記携帯端末が、前記調剤カゴに調剤していく患者の監査履歴を前記サーバから取得して前記表示部に表示させる監査履歴表示手段を備えていること特徴としている。
【００３５】
上記調剤監査システム（１０）によれば、前記患者の監査履歴を前記サーバから取得して前記携帯端末の前記表示部に表示させることができるので、調剤担当者は、患者の監査履歴を確認し、調剤作業に活用することができる。
【００３６】
また本発明に係る調剤監査システム（１１）は、上記調剤監査システム（９）又は（１０）において、前記携帯端末が、撮像手段と、該撮像手段により撮像された監査済薬剤の撮像データを前記サーバへ送信する撮像データ送信手段とを備え、前記サーバの前記監査履歴登録手段が、前記携帯端末から受信した前記撮像データを前記監査した情報に関連付けて監査履歴として登録することを特徴としている。
【００３７】
上記調剤監査システム（１１）によれば、前記携帯端末の前記撮像手段により撮像された監査済薬剤の撮像データを前記監査した情報に関連付けて監査履歴として前記サーバに登録することができ、前記サーバに登録された前記監査済薬剤の撮像データを前記携帯端末に表示させることによって、撮像データに基づく調剤誤りの有無などについて後日確認することが可能となる。
【００３８】
また本発明に係る調剤監査システム（１２）は、上記調剤監査システム（１）〜（１１）のいずれかにおいて、前記サーバの前記記憶部に、前記携帯端末の操作を許可するためのＩＣカードの識別情報と該ＩＣカードの所有者情報とを関連付けたログイン認証情報が記憶され、前記携帯端末が、前記読取手段で読み取った前記ＩＣカードの識別情報を前記サーバへ送信し、該サーバからログイン許可信号を受信した場合に、当該携帯端末の操作を許可する認証手段を備えていることを特徴としている。
【００３９】
上記調剤監査システム（１２）によれば、前記サーバに登録された前記ログイン認証情報に対応する前記ＩＣカードにより当該システムへのログインを許可するので、前記ＩＣカードの所有者以外の者が当該システムを使用することを防止することができ、当該システムのセキュリティを高めることができる。
【００４０】
また本発明に係る調剤監査システム（１３）は、上記調剤監査システム（１）〜（１２）のいずれかにおいて、前記携帯端末が、入力された音声に基づいて薬剤名を認識する音声認識手段と、該音声認識手段により音声認識された薬剤の情報を提示する薬剤情報提示手段とを備えていることを特徴としている。
【００４１】
上記調剤監査システム（１３）によれば、調剤者が薬剤の名前を音声で発するだけで、該当する薬剤の情報（薬剤名、重さ、薬局内置き場所、コメント、薬価など）を前記携帯端末に提示させることができ、利便性を高めることができる。
【００４２】
また本発明に係る調剤監査システム（１４）は、上記調剤監査システム（１）〜（１３）のいずれかにおいて、前記薬剤ＩＣタグには、インターネット上の薬剤情報提供サイトにアクセスして、当該タグの識別情報に関連付けられた薬剤の情報を前記携帯端末の前記表示部に表示させる機能を有するプログラムが記憶されていること特徴としている。
【００４３】
上記調剤監査システム（１４）によれば、前記携帯端末で前記薬剤ＩＣタグに記憶された前記プログラムを読み取ると、インターネット上の薬剤情報提供サイトにアクセスして、当該タグの識別情報に関連付けられた薬剤の情報を前記携帯端末の前記表示部に表示させることができるので、前記薬剤ＩＣタグが付された薬剤の情報を手早く知ることができる。
【００４４】
また本発明に係る調剤監査システム（１５）は、上記調剤監査システム（１）〜（１４）のいずれかにおいて、前記サーバ及び前記携帯端末が、内部電源により駆動するように構成されていることを特徴としている。
【００４５】
上記調剤監査システム（１５）によれば、前記サーバ及び前記携帯端末が、内部電源により駆動するように構成されているので、災害時などの停電状況でもシステムの動作が可能となり、緊急時にも対応できるシステムとすることができる。
【００４６】
また本発明に係る調剤監査方法（１）は、調剤カゴ毎に付されるカゴＩＣタグと、薬剤の品目毎に付される薬剤ＩＣタグと、薬剤の秤量データを送信する機能を備えた秤量手段と、前記カゴＩＣタグ及び前記薬剤ＩＣタグの読取手段と、携帯端末と、該携帯端末と通信可能なサーバとを用いて行う調剤監査方法であって、前記サーバが、前記カゴＩＣタグの情報、これら各カゴＩＣタグに関連付けられた調剤カゴの情報、前記薬剤ＩＣタグの情報、これら各薬剤ＩＣタグに関連付けられた薬剤の情報、患者の処方箋情報、及び調剤監査の情報を記憶部に関連付けて記憶するステップを含み、前記携帯端末が、前記読取手段で読み取った前記カゴＩＣタグに関連付けられた調剤カゴの情報、前記読取手段で読み取った前記薬剤ＩＣタグに関連付けられたピッキング薬剤の情報、及び当該調剤カゴに調剤する患者の処方箋情報を関連付けた態様で表示部に表示するステップを含み、前記サーバ又は前記携帯端末が、前記調剤カゴの情報に関連付けられた前記ピッキング薬剤の情報と、前記調剤カゴの情報に関連付けられた前記患者の処方箋情報とに基づいて、薬剤の品目監査を行う品目監査ステップと、前記調剤カゴの情報に関連付けられた前記ピッキング薬剤の情報と、前記秤量手段からの秤量データと、前記調剤カゴの情報に関連付けられた前記患者の処方箋情報に含まれる処方薬剤の重量情報とに基づいて、薬剤の重量監査を行う重量監査ステップとを含むことを特徴としている。
【００４７】
上記調剤監査方法（１）によれば、前記カゴＩＣタグと前記薬剤ＩＣタグとを使用することによって、前記携帯端末によるタグの読取作業を簡単に行うことができ、薬剤のピッキング作業の効率を高めることができる。また、前記調剤カゴの情報と前記ピッキング薬剤の情報とが関連付けられるとともに、前記調剤カゴの情報と当該調剤カゴに調剤していく患者の処方箋情報とが関連付けられるので、前記調剤カゴの情報を共通にする前記ピッキング薬剤の情報と前記患者の処方箋情報とを関連付けた処理を行うことが可能となる。そのため、前記携帯端末の前記表示部に表示するステップにより、前記サーバから受信した前記調剤カゴの情報、前記ピッキング薬剤の情報、及び前記調剤カゴに調剤していく患者の処方箋情報を関連付けた態様、すなわち、前記調剤カゴ単位で表示部に表示させることができ、ピッキング作業の状態を把握しやすく表示することができる。さらに、前記調剤カゴ単位で前記品目監査ステップによる薬剤の品目監査と前記重量監査ステップによる薬剤の重量監査とを行うことができ、処方された薬剤の品目監査だけでなく薬剤の重量監査も前記調剤カゴ単位（換言すれば患者単位）で効率良く適切に行うことができ、薬剤の選択誤りだけでなく、秤量・計量の間違いの発生も防止することができ、これらの監査結果を適切に報知することが可能となる。
【００４８】
また本発明に係る調剤監査方法（２）は、上記調剤監査方法（１）において、前記携帯端末が、前記読取手段で読み取った前記カゴＩＣタグの情報を前記サーバへ送信した後、該サーバから前記カゴＩＣタグの情報と関連付けられた前記患者の処方箋情報又は前記患者の調剤監査の情報を受信した場合、前記カゴＩＣタグに関連付けられた前記調剤カゴの情報と、前記患者の処方箋情報又は前記患者の調剤監査の情報とを関連付けて前記表示部に表示するステップを含むことを特徴としている。
【００４９】
上記調剤監査方法（２）によれば、前記携帯端末で前記カゴＩＣタグの情報を読み取った場合に、前記サーバから前記カゴＩＣタグの情報と関連付けられた前記調剤カゴの情報と、前記患者の処方箋情報又は前記患者の調剤監査の情報、すなわち、当該調剤カゴに調剤した前回の患者の情報を受信して、前記表示部に表示することができる。例えば、前記調剤カゴに薬剤をピッキングして保管しておいた場合等において、当該調剤カゴに貼付された前記カゴＩＣタグを前記携帯端末にかざして読み取るだけで、前回の患者の情報（ピッキングしておいた薬剤の情報や監査履歴等の情報）を表示させることができる。したがって、調剤及び監査作業をスムーズに行うことが可能となり、利便性を高めることができる。
【００５０】
また本発明に係る調剤監査方法（３）は、上記調剤監査方法（１）又は（２）において、前記携帯端末が、前記品目監査ステップ及び前記重量監査ステップによる監査が終了した場合に、当該監査した情報を監査履歴として登録するように前記サーバへ指示する監査履歴登録指示ステップを含み、前記サーバが、前記携帯端末から受信した前記監査履歴の登録指示に基づいて、前記監査した情報を監査履歴として前記記憶部に登録する監査履歴登録ステップを含むことを特徴としている。
【００５１】
上記調剤監査方法（３）によれば、前記品目監査ステップ及び前記重量監査ステップによる監査が終了した場合に、当該監査した情報を監査履歴として前記サーバの前記記憶部に登録することができ、該登録された情報を監査履歴として当該システムで利用することができる。
【００５２】
また本発明に係る調剤監査プログラム（１）は、上記調剤監査システム（１）〜（１３）のいずれかに記載の前記携帯端末としてコンピュータを機能させるためのプログラムであることを特徴としている。
【００５３】
上記調剤監査プログラム（１）によれば、上記調剤監査システム（１）〜（１３）のいずれかに記載の前記携帯端末としてコンピュータを機能させることができ、上記調剤監査システム（１）〜（１２）の効果を実現することができる。
【００５４】
また本発明に係る調剤監査プログラム（２）は、上記調剤監査システム（１）〜（１３）のいずれかに記載の前記サーバとしてコンピュータを機能させるためのプログラムであることを特徴としている。
【００５５】
上記調剤監査プログラム（２）によれば、上記調剤監査システム（１）〜（１３）のいずれかに記載の前記サーバとしてコンピュータを機能させることができ、上記調剤監査システム（１）〜（１３）の効果を実現することができる。
【００５６】
また本発明に係る調剤監査システム（１６）は、薬剤の識別情報、患者の処方箋情報、及び調剤された薬剤の監査情報を関連付けて記憶する記憶手段と、調剤対象患者の処方薬剤の情報を含む情報を表示部に表示する表示手段と、薬剤の識別情報を読み取る読取手段と、該読取手段により薬剤の識別情報が読み取られた場合に、前記記憶手段から読み出された前記調剤対象患者の処方箋情報に基づいて、前記読み取られた薬剤の品目を自動的に監査する品目監査手段と、薬剤を秤量する秤量手段と、該秤量手段により薬剤が秤量された場合に、前記記憶手段から読み出された前記調剤対象患者の処方箋情報に基づいて、前記秤量された薬剤の重量を自動的に監査する重量監査手段と、前記品目監査手段及び前記重量監査手段により監査された前記調剤対象患者の調剤監査結果を自動的に前記記憶手段に登録する監査結果登録手段とを備え、前記表示手段が、前記監査結果登録手段による登録が行われた場合に、自動的に次の調剤対象患者の処方薬剤の情報に切り替えて表示する患者情報切替手段を備えていることを特徴としている。
【００５７】
上記調剤監査システム（１６）によれば、前記読取手段により薬剤（ピッキングした薬剤）の識別情報が読み取られると、自動的に前記読み取られた薬剤の品目が監査され、前記秤量手段で薬剤（ピッキングした薬剤）が秤量されると、自動的に前記秤量された薬剤の重量が監査され、さらに、これらの調剤監査結果が自動的に前記記憶手段に登録される。
そのため、前記読取手段で薬剤の識別情報を読み取る作業と、前記秤量手段に薬剤を載せて秤量する作業とを調剤者（作業者）に行わせるだけで、ピッキングした薬剤の品目監査、重量監査、さらに監査結果の登録までを自動的に行うことができる。
したがって、調剤者は監査のために特別な操作を行うことなく、薬剤のピッキング作業と監査作業を効率良くかつ簡単に行うことができるとともに、薬剤の取り間違い及び計数間違いを防止することができる。さらに、前記患者情報切替手段によって、監査結果の登録後、自動的に次の調剤対象患者の処方薬剤の情報に切り替えて表示されるので、次の調剤対象患者に処方する薬剤を取り揃える作業及び監査作業にすぐに取り掛かることができ、作業効率を一層高めることができる。
【００５８】
また本発明に係る調剤監査システム（１７）は、上記調剤監査システム（１６）において、前記秤量手段で秤量された薬剤を撮像可能な撮像手段と、該撮像手段により撮像された薬剤の撮像データを、前記調剤対象患者の調剤監査結果と関連付けて前記記憶手段に登録する撮像データ登録手段とを備えていることを特徴としている。
【００５９】
上記調剤監査システム（１７）によれば、前記撮像手段により撮像された薬剤の撮像データが、前記調剤対象患者の調剤監査結果と関連付けて前記記憶手段に登録されるので、該記憶手段に登録された前記撮像データを前記表示部に表示させることによって、前記撮像データに基づく調剤誤りの有無などについて後日確認することができ、監査結果の信頼性を高めることができる。
【００６０】
また本発明に係る調剤監査システム（１８）は、上記調剤監査システム（１６）又は（１７）において、前記表示手段が、前記調剤対象患者の処方薬剤を前記表示部に一覧表示させ、前記品目監査手段により品目監査が実行された薬剤の表示形態を変化させ、前記重量監査手段により重量監査が実行された薬剤の表示形態を変化させる表示形態切替手段を備えていることを特徴としている。
【００６１】
上記調剤監査システム（１８）によれば、前記調剤対象患者の処方薬剤が前記表示部に一覧表示され、前記品目監査が実行された薬剤の表示形態が変化して表示され、さらに前記重量監査が実行された薬剤の表示形態が変化して表示されるので、作業者は前記薬剤の表示形態を見るだけで各監査の状態を把握することができ、各監査の状態に応じた作業を速やかに実行することができ、作業性を高めることができる。
【００６２】
また本発明に係る調剤監査システム（１９）は、上記調剤監査システム（１６）〜（１８）のいずれかにおいて、前記表示手段が、前記品目監査手段、前記重量監査手段、及び／又は前記監査結果登録手段による監査・登録の経過情報を表示する経過情報表示手段を備えていることを特徴としている。
上記調剤監査システム（１９）によれば、前記品目監査手段、前記重量監査手段、及び／又は前記監査結果登録手段による監査・登録の経過情報が前記表示部に表示されるので、作業者は、監査・登録の経過情報、例えば、監査完了情報や登録完了情報を確認することができ、監査・登録の経過状態を把握することができ、安心して作業を進めることができる。
【００６３】
また本発明に係る調剤監査システム（２０）は、上記調剤監査システム（１６）〜（１９）のいずれかにおいて、携帯端末と、該携帯端末と通信可能なサーバとを含んで構成され、前記携帯端末が、前記表示手段の機能を有するとともに、前記読取手段及び前記秤量手段からのデータを取り込む取込手段を備え、前記サーバが、前記記憶手段の機能を有し、前記携帯端末と前記サーバとが通信することにより、前記品目監査手段、前記重量監査手段、及び前記監査結果登録手段の機能を実現するように構成されていることを特徴としている。
【００６４】
上記調剤監査システム（２０）によれば、前記携帯端末（例えば、タブレット端末、スマートフォン端末、ノート型パソコンなど）と、前記サーバ（例えば、パーソナルコンピュータ、ノートパソコンなど）といった市販されている汎用品を用いて、安価にシステムを構築することができる。したがって、小さな薬局への本システム導入も容易となり、また、規模に応じたシステムの拡張も容易かつ安価に実現することができる。
また、上記調剤監査システム（１６）〜（２０）のいずれかにおいて、上記調剤監査システム（５）〜（１５）のいずれかで限定した構成をさらに備えるようにすることができる。係る構成によれば、上記調剤監査システム（１６）〜（２０）においても、上記調剤監査システム（５）〜（１５）で限定した構成により得られる効果を得ることができ、システムの機能及びユーザの利便性を高めることができる。
【００６５】
また本発明に係る調剤監査方法（４）は、薬剤の識別情報、患者の処方箋情報、及び調剤された薬剤の監査情報を関連付けて記憶する記憶手段を有するサーバと、薬剤の識別情報を読み取る読取手段と、薬剤の重量を秤量する秤量手段と、調剤対象患者の処方薬剤の情報を含む情報を表示部に表示する表示手段と、前記読取手段及び前記秤量手段からのデータを取り込む取込手段とを有する携帯端末とを用い、前記携帯端末と前記サーバとが通信しながら行う調剤監査方法であって、前記読取手段により薬剤の識別情報が読み取られた場合に、前記記憶手段から読み出された前記調剤対象患者の処方箋情報に基づいて、前記読み取られた薬剤の品目を自動的に監査する品目監査ステップと、前記秤量手段により薬剤が秤量された場合に、前記記憶手段から読み出された前記調剤対象患者の処方箋情報に基づいて、前記秤量された薬剤の重量を自動的に監査する重量監査ステップと、前記品目監査ステップ及び前記重量監査ステップにより監査された前記調剤対象患者の調剤監査結果を自動的に前記記憶手段に登録する監査結果登録ステップと、前記監査結果登録ステップにより登録が行われた場合に、自動的に次の調剤対象患者の処方薬剤の情報に切り替えて前記表示部に表示する患者情報切替ステップとを含んでいることを特徴としている。
【００６６】
上記調剤監査方法（４）によれば、前記読取手段により薬剤（ピッキングした薬剤）の識別情報が読み取られると、自動的に前記読み取られた薬剤の品目を監査し、前記秤量手段で薬剤（ピッキングした薬剤）の重量が秤量されると、自動的に前記秤量された薬剤の重量を監査し、さらに、これらの調剤監査結果を自動的に前記記憶手段に登録する。
そのため、前記読取手段で薬剤の識別情報を読み取る作業と、前記秤量手段に薬剤を載せて秤量する作業とを調剤者（作業者）に行わせるだけで、ピッキングした薬剤の品目監査、重量監査、さらに監査結果の登録までを自動的に行うことができる。
したがって、調剤者は品目・重量監査のために特別な操作を行うことなく、薬剤のピッキング作業と監査作業を効率良くかつ簡単に行うことができるとともに、薬剤の取り間違い及び計数間違いを防止することができる。さらに、前記患者情報切替ステップによって、前記監査結果の登録後、自動的に次の調剤対象患者の処方薬剤の情報に切り替えて表示されるので、次の調剤対象患者に処方する薬剤を取り揃える作業及び監査作業にすぐに取り掛かることができ、作業効率を一層高めることができる。
また本発明に係る調剤監査プログラム（３）は、上記調剤監査システム（２０）に記載の前記携帯端末としてコンピュータを機能させるためのプログラムであることを特徴としている。
上記調剤監査プログラム（３）によれば、上記調剤監査システム（２０）に記載の前記携帯端末としてコンピュータを機能させることができ、上記調剤監査システム（２０）の効果を実現することができる。
また本発明に係る調剤監査プログラム（４）は、上記調剤監査システム（２０）に記載の前記サーバとしてコンピュータを機能させるためのプログラムであることを特徴としている。
上記調剤監査プログラム（４）によれば、上記調剤監査システム（２０）に記載の前記サーバとしてコンピュータを機能させることができ、上記調剤監査システム（２０）の効果を実現することができる。
【図面の簡単な説明】
【００６７】
【図１】本発明の実施の形態（１）に係る調剤監査システムの構成を概略的に示した図である。
【図２】実施の形態（１）に係る調剤監査システムにおける携帯端末の構成を概略的に示したブロック図である。
【図３】実施の形態（１）に係る調剤監査システムにおけるサーバの構成を概略的に示したブロック図である。
【図４】実施の形態（１）に係る調剤監査システムにおけるサーバに記憶される各種データの構成を説明するための図である。
【図５】実施の形態（１）に係る調剤監査システムにおけるユーザＩＣカードと携帯端末とサーバとの間で実行されるログイン処理動作を示したフローチャートである。
【図６】携帯端末の表示部に表示されるログイン画面の表示例を示した図であり、（ａ）はログイン待機画面、（ｂ）はログイン成功画面、（ｃ）はメニュー画面、（ｄ）はログイン不許可画面である。
【図７】実施の形態（１）に係る調剤監査システムにおけるカゴＩＣタグと携帯端末とサーバとの間で実行されるカゴＩＣタグ読取処理動作を示したフローチャートである。
【図８−１】携帯端末の表示部に表示されるカゴＩＣタグ読取後の画面表示例を示した図である。
【図８−２】携帯端末の表示部に表示されるカゴＩＣタグ読取後の別の画面表示例を示した図である。
【図９】実施の形態（１）に係る調剤監査システムにおける薬剤ＩＣタグと携帯端末とサーバとの間で実行される薬剤ＩＣタグ読取処理動作を示したフローチャートである。
【図１０】携帯端末の表示部に表示される薬剤ＩＣタグ読取後のピッキング画面の表示例を示した図である。
【図１１】実施の形態（１）に係る調剤監査システムにおける携帯端末とサーバとの間で行われる品目監査処理動作を示したフローチャートである。
【図１２】携帯端末の表示部に表示される患者リストの表示例を示した図である。
【図１３】携帯端末の表示部に表示される患者の処方薬情報、ピッキング薬剤情報の表示例を示した図であり、（ａ）はピッキング薬剤の表示例、（ｂ）は未ピッキング分の薬剤の表示例である。
【図１４】携帯端末の表示部に表示される患者の処方薬情報（未ピッキング分）の表示例を示した図である。
【図１５−１】実施の形態（１）に係る調剤監査システムにおける携帯端末とサーバとの間で行われる重量監査処理動作を示したフローチャートである。
【図１５−２】実施の形態（１）に係る調剤監査システムにおける携帯端末とサーバとの間で行われる重量監査処理動作を示したフローチャートである。
【図１６】携帯端末の表示部に表示される重量監査結果（重量ＯＫ）の表示例を示した図である。
【図１７】携帯端末の表示部に表示される重量監査結果（監査不適）の表示例を示した図である。
【図１８】携帯端末の表示部に表示される監査完了分の表示画面の表示例を示した図である。
【図１９】携帯端末の表示部に表示される服薬済登録確認画面の表示例を示した図である。
【図２０】携帯端末の表示部に表示される監査処理終了画面の表示例を示した図である。
【図２１】（ａ）〜（ｃ）は携帯端末の表示部に表示される監査結果確認画面の表示例を示した図である。
【図２２】携帯端末の表示部に表示される服薬済登録確認画面の表示例を示した図である。
【図２３】実施の形態（２）に係る調剤監査システムの構成を概略的に示したブロック図である。
【図２４】端末装置の表示部に表示されるシステムのメニュー画面の表示例を示した図である。
【図２５】端末装置の表示部に表示されるシステムのメニュー画面で選択された在庫管理画面の表示例を示した図である。
【図２６】実施の形態（２）に係る調剤監査システムにおける端末装置とサーバとの間で行われる品目監査処理動作を示したフローチャートである。
【図２７−１】（ａ）〜（ｄ）は、端末装置の表示部に表示されるカメラモードの監査画面の表示例を示した図である。
【図２７−２】（ｅ）〜（ｈ）は、端末装置の表示部に表示されるカメラモードの監査画面の表示例を示した図である。
【図２８】実施の形態（２）に係る調剤監査システムにおける端末装置とサーバとの間で行われる重量監査処理動作を示したフローチャートである。
【図２９】（ａ）〜（ｃ）は、端末装置の表示部に表示されるカメラモードにおける各種メニュー画面の表示例を示した図である。
【図３０】（ａ）〜（ｄ）は、端末装置の表示部に表示されるピッキングモードの監査画面の表示例を示した図である。
【図３１】従来の調剤検品方法を説明するための図である。
【発明を実施するための形態】
【００６８】
以下、本発明に係る調剤監査システム、調剤監査方法、及び調剤監査プログラムの実施の形態を図面に基づいて説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限定されるものではない。
【００６９】
図１は、実施の形態（１）に係る調剤監査システムを構成する要部を概略的に示した図、図２は携帯端末の構成を概略的に示したブロック図、図３はサーバの構成を概略的に示したブロック図である。
【００７０】
調剤監査システム１は、レセプトコンピュータ３０が導入されている薬局への導入に好適なシステムである。調剤監査システム１は、調剤した薬剤を入れる調剤カゴ２毎に付され、各調剤カゴ２を特定するためのカゴＩＣタグ３と、薬剤の品目（薬剤箱４）毎に付され、各薬剤の品目を特定するための薬剤ＩＣタグ５と、調剤した薬剤を秤量し、該秤量データを外部（サーバ２０）に送信する機能を備えた電子秤（秤量手段）７と、カゴＩＣタグ３及び薬剤ＩＣタグ５に記憶された情報を近接無線通信により読み取る機能（読取手段）を備えた携帯端末１０と、患者の処方箋情報などを記憶すると共に、通信ネットワーク４０等を介して携帯端末１０や外部サーバ（図示せず）等と通信可能なサーバ２０とを含んで構成される。
【００７１】
調剤監査システム１で携帯端末１０を使用する場合、調剤者が所持するユーザＩＣカード６を用いて認証処理が行われる。なお、調剤監査システム１では、複数の携帯端末１０を使用することが可能であり、また、複数の携帯端末１０及びサーバ２０間でデータを共有することも可能となっている。
【００７２】
調剤カゴ２は、処方箋、調剤した薬剤、薬剤説明書、薬袋などを入れる小型のカゴ（調剤トレイとも言う）であり、患者の処方箋を受け付けてから薬剤を交付するまでの調剤業務において使用される。調剤カゴ２の大きさや形は限定されるものではなく、薬局の規模等に応じて、必要は数量の調剤カゴ２が用意される。
【００７３】
カゴＩＣタグ３は、各調剤カゴ２に貼付され、薬剤ＩＣタグ５は、図示しない薬局の薬剤棚に配置されている各薬剤箱（薬剤収納容器等）４に貼付される。カゴＩＣタグ３と薬剤ＩＣタグ５は、ラベル（シール）型のＩＣタグであり、近距離無線通信を行うＮＦＣ（Near Field Communication）方式に従った近接無線通信用のＩＣタグ（ＲＦタグとも言う）であるが、ＮＦＣ方式に限定されるものではない。なお、ＮＦＣ方式は、例えば、ＩＳＯ／ＩＥＣ２１４８１又はＩＳＯ／ＩＥＣ１８０９２等に準拠した無線通信方式である。ＩＣタグの種類は特に限定されないが、電池を内蔵する必要のない安価なパッシブタグ（受動タグ）を用いことが好ましい。
【００７４】
調剤者が所持しているユーザＩＣカード６は、カード型のＩＣタグであり、近距離無線通信を行うＮＦＣ（Near Field Communication）方式に従った近接無線通信用のＩＣタグ（ＲＦタグとも言う）であるが、ＮＦＣ方式に限定されるものではない。
【００７５】
これらカゴＩＣタグ３、薬剤ＩＣタグ５、及びユーザＩＣカード６は、図示しないアンテナと、該アンテナに接続されたＩＣチップとを含んで構成され、前記ＩＣチップは、図示しないマイコンとメモリ（ＥＥＰＲＯＭやＲＡＭ）を含んで構成され、前記メモリには、各ＩＣタグを特定するための固有の識別情報（ＩＤｍなど）が記憶されており、携帯端末１０との無線通信時にこれら識別情報が読み出されて、携帯端末１０に送信されるようになっている。また、薬剤ＩＣタグ５の前記メモリには、インターネット上の薬剤情報提供サイトにアクセスして、当該タグの識別情報に対応付けられた薬剤の情報を携帯端末１０の表示部１２に表示させる機能を有するプログラムが格納されており、携帯端末１０では、当該プログラムを読み取ると、インターネット上の薬剤情報提供サイトにアクセスし、当該タグの識別情報に対応付けられた薬剤の情報を表示部１２に表示させることができ、薬剤ＩＣタグ５が付された薬剤の情報を手早く知ることが可能となっている。
【００７６】
電子秤７は、薬剤の重量を精度良く測定できる精密な電子天秤であって、電子天秤部７ａと、電子天秤部７ａの秤量データを外部（この場合サーバ２０）にリアルタイムで送信するデータ通信部７ｂとを含んで構成されている。
【００７７】
携帯端末１０は、スマートフォン端末又はタブレット端末などの携帯可能な多機能情報端末装置で構成されており、図２に示すように、ＣＰＵ、ＲＯＭ、ＲＡＭ（いずれも図示せず）などが実装された制御部１１、液晶パネル等で構成された表示部１２、タッチパネルやボタン等で構成された操作部１３、外部の通信ネットワーク（基地局４１を介した携帯電話網やインターネット網等）４０やサーバ２０と通信接続するための無線通信部１４、不揮発性メモリ等で構成された記憶部１５、カゴＩＣタグ３、薬剤ＩＣタグ５及びユーザＩＣカード６などと近接無線通信を行うためのＮＦＣ方式に準拠したリーダ／ライタ部（読取部）１６、図示しないバーコードリーダーなどの外部機器を接続可能な入出力インターフェース（Ｉ／Ｆ）１６Ａ、撮像手段として機能するカメラ部１７、音声を入力可能な音声入力部１８、及びこれら各部に電力を供給するバッテリ電源１９を含んで構成されている。記憶部１５には、サーバ２０との間でデータのやり取りを行いながら調剤監査を実行するためのプログラム（アプリケーション）、撮像機能や音声認識機能など、携帯端末１０の有する各種機能を実現するためのプログラムが記憶されている。
【００７８】
サーバ２０は、携帯端末１０からの要求等に応じて調剤監査に関するデータや機能を提供するコンピュータであり、図３に示すように、ＣＰＵ、ＲＯＭ、ＲＡＭ（いずれも図示せず）などが実装された制御部２１、ハードディスク等で構成された記憶部２２、外部の通信ネットワーク（公衆電話網、無線通信網、インターネット等）と接続するための通信部２３、レセプトコンピュータ３０などの外部装置と接続するための入出力インターフェース（Ｉ／Ｆ）２４、ＡＣ電源部２５、及びバッテリ電源２６を含んで構成されている。なお、バッテリ電源として無停電電源装置を使用することもでき、サーバ２０をパーソナルコンピュータで構築することもできる。
【００７９】
また、記憶部２２には、図３に示すように調剤監査システム１の処理に利用される各種データが記憶されるとともに、調剤監査後の各種データが登録されるように構成されている。具体的には、処方箋データファイル２２ａ、ＩＣタグ・カードＤＢ（データベース）２２ｂ、ユーザＤＢ２２ｃ、医薬品ＤＢ２２ｄ、医薬品特記事項ＤＢ２２ｅ、ピッキング作業ＤＢ２２ｆ、監査完了薬剤ＤＢ２２ｇ、監査履歴ＤＢ２２ｈ、患者ＤＢ２２ｉ、監査済処方箋ＤＢ２２ｊ、カゴ・患者ＤＢ２２ｋ、医薬品在庫管理ＤＢ２２ｌ、監査済カゴ画像ファイル２２ｍなどが含まれている。これらの内容については後述する。
【００８０】
制御部２１のＲＯＭ（図示せず）には、携帯端末１０との間でデータのやり取りを行いながら各種のデータ処理、調剤監査処理（品目監査手段、重量監査手段）、各種ＤＢの登録・更新処理などを実行するためのプログラムが格納されている。
【００８１】
また、サーバ２０はレセプトコンピュータ３０に接続され、レセプトコンピュータ３０から患者の処方箋データを含む各種データが適宜取り込まれ、記憶部２２に記憶されるようになっている。レセプトコンピュータ３０は、薬局に設置されているコンピュータ装置であり、患者の処方箋等の入力処理、薬剤説明書等の発行処理、診療報酬明細書（レセプト）に関する業務処理、領収書等を発行する会計処理などを行うために使用される。レセプトコンピュータ３０は、図示しない表示モニター、ハードディスクやマザーボードなどが収納された本体部、キーボードやマウスなどの操作部、入出力インターフェース部などを含んで構成され、図示しないプリンタ装置、スキャナ装置などが接続されている。
【００８２】
次に、サーバ２０の記憶部２２に記憶される各種データについて説明する。図４は、サーバ２０の記憶部２２に記憶されている各種データ（データベースやファイル）の内容を説明するための図である。図中の矢印は、データベース（ＤＢ）間のデータの関連付け（紐付け関係）の一例を示しているが、データの関連付けはこの形態に限定されるものではない。
【００８３】
処方箋データファイル２２ａには、レセプトコンピュータ３０から受信した未調剤の患者の処方箋データが、例えばＣＳＶファイル形式で記憶されている。ＣＳＶファイル名には、患者氏名と生年月日とが含まれている。処方箋データには、処方箋番号（ＩＤ）、受付日、患者ＩＤ、患者氏名、生年月日、性別、マイナンバー、保険証番号、処方箋交付日、交付医療機関、医師氏名、処方薬剤情報（薬剤毎のＹＪコード、ＧＳ１データバーなどの医薬品コードと薬剤数量）などが含まれている。マイナンバーを登録することにより、患者の識別精度を高めることが可能となっている。例えば、氏名と生年月日が同じ患者については、マイナンバーにより同一人か否かの判断を行い、また、マイナンバーが同一で氏名が異なる患者は同一人であると判断することが可能となっている。なお、ＧＳ１データバー（新バーコードとも言われている）は、調剤包装単位（ＰＴＰシート、アンプル、バイアル単位）等で付される薬剤バーコードである。
【００８４】
医薬品ＤＢ２２ｄは、外部機関（例えば、一般財団法人医療情報システム開発センター）が提供している医薬品データベースを含んで構成されており、ＨＯＴコード、医薬品のＪＡＮコード（流通取引コード）、個別医薬品コード（ＹＪコード）、ＧＳ１データバー（包装単位コード）、レセプト電算処理システムコード、レセプト電算処理システム医薬品名、薬剤画像データなど医薬品の各種情報が登録されている。ＨＯＴコードは、汎用コード（薬価基準収載医薬品コード、個別医薬品（ＹＪ）コード、ＧＳ１データバー、レセプト電算処理用コード、ＪＡＮコード）を対応付けるためのコードである。
【００８５】
ＩＣタグ・カードＤＢ２２ｂには、カゴＩＣタグ３、薬剤ＩＣタグ５、及びユーザＩＣカード６に関連付けられた情報が登録されている。カゴＩＣタグ３の情報には、識別情報（タグＩＤ）、種類情報（カゴ）、カゴＩＤ（カゴ名）、更新日時を含み、タグＩＤ毎に対応付けて登録されている。薬剤ＩＣタグ５の情報には、識別情報（タグＩＤ）、種類情報（医薬品）、ＪＡＮコード（薬剤コード）、有効期限、ロット番号、シリアル番号、更新日時を含み、タグＩＤ毎に対応付けて登録されている。ユーザＩＣカード６の情報には、識別情報（カードＩＤ）、種類情報（ユーザ）、更新日時、ユーザＩＤを含み、カードＩＤ毎に対応付けて登録されている。薬剤ＩＣタグ５が付された薬剤と医薬品ＤＢ２２ｄの薬剤とがＪＡＮコード・ＧＳ１データバーなどの医薬品コードによって関連付け（紐付け）されるようになっている。
【００８６】
ユーザＤＢ２２ｃには、調剤監査システム１を使用するユーザ（調剤者・作業者）の情報、具体的には、ユーザＩＤ、ユーザ名、パスワード、カテゴリー（分類）等が含まれている。ユーザＩＣカード６とユーザＤＢ２２ｃのユーザ情報とがユーザＩＤによって関連付け（紐付け）されるようになっている。
【００８７】
医薬品特記事項ＤＢ２２ｅには、医薬品の特記事項が登録されており、具体的には、医薬品コード（ＹＪコード、ＧＳ１データバーなど）、薬重量、コメントデータ、薬局内配置場所データ、ポップアップ表示データ等が含まれている。コメントデータには、調剤者に通知が必要なコメントが登録され、薬局内配置場所データには、薬局内の配置場所（棚番等）に関するデータが登録され、ポップアップ表示データには、取り扱い等の注意が必要な医薬品である警告をポップアップ表示するデータについて登録されている。医薬品特記事項ＤＢ２２ｅと医薬品ＤＢ２２ｄとのデータがＹＪコード・ＧＳ１データバーなどの医薬品コードによって関連付け（紐付け）されるようになっている。
【００８８】
ピッキング作業ＤＢ２２ｆには、ピッキング作業中の調剤カゴ２に対する作業情報が登録される。登録される情報には、ピッキングＩＤ、カゴＩＤ、ＪＡＮコード・ＧＳ１データバーなどの医薬品コード、ピッキング時間、ピッキングユーザ名、ユーザＩＤ、監査時間、監査を完了したか否かを示す監査状況、監査者名、監査者ＩＤなどが含まれている。ＪＡＮコード、ＹＪコード、ＧＳ１データバーなどの医薬品コードによって、薬剤ＩＤタグ５の情報（ピッキング薬剤）と処方箋データファイル２２ａの処方薬剤とが関連付け（紐付け）されるようになっている。また、カゴＩＤによってカゴＩＤタグ３の情報と関連付け（紐付け）されるようになっている。
【００８９】
監査完了薬剤ＤＢ２２ｇには、監査を完了した薬剤情報が処方箋ＩＤと関連付けて登録される。登録される情報には、ピッキングＩＤ、カゴＩＤ、医薬品コード（ＪＡＮコード、ＧＳ１データバーなど）、ピッキング時間、ユーザ名、ユーザＩＤ、監査時間、監査登録状況、監査者、監査者ＩＤ、監査登録時間、処方箋ＩＤ、監査登録者、監査登録者ＩＤなどが含まれる。監査登録状況には、監査が正常に完了した、未完了である、重量誤差がある状態で完了したなどの状況が登録される。ピッキング作業ＤＢ２２ｆと監査完了薬剤ＤＢ２２ｇとのデータがカゴＩＤ、医薬品コード（ＪＡＮコード、ＧＳ１データバーなど）、及び／又はユーザＩＤによって関連付け（紐付け）されるようになっている。
【００９０】
監査履歴ＤＢ２２ｈには、監査が完了した処方箋に関する情報が登録される。登録される情報には、処方箋ＩＤ、医師名、医療機関、処方箋交付年月日、登録日時、患者ＩＤなどが含まれている。
【００９１】
患者情報ＤＢ２２ｉには、監査が完了した患者に関する情報が登録される。登録される情報には、患者ＩＤ、患者カナ氏名、性別、生年月日、マイナンバー、保険者番号、保険記号番号、登録日時などが含まれている。患者情報ＤＢ２２ｉと監査履歴ＤＢ２２ｈとのデータが患者ＩＤによって関連付け（紐付け）されるようになっている。
【００９２】
監査済処方箋ＤＢ２２ｊには、監査が完了した処方箋のＣＳＶファイルの内容が登録される。登録される情報には、監査が完了した処方箋ＩＤ、ＣＳＶファイルなどが含まれている。監査履歴ＤＢ２２ｈと監査完了薬剤ＤＢ２２ｇと監査済処方箋ＤＢ２２ｊとのデータが処方箋ＩＤによって関連付け（紐付け）可能となっている。
【００９３】
カゴ・患者ＤＢ２２ｋには、携帯端末１０により読み取られたカゴＩＣタグ３に対応するカゴＩＤと、該カゴＩＤの調剤カゴ２に調剤する患者の患者ＩＤ及び処方箋データ（ＣＳＶファイル名）とが関連付けて記憶される。サーバ２０は、携帯端末１０からカゴＩＣタグ３のタグＩＤを受信した場合にカゴ・患者ＤＢ２２ｋにアクセスし、前記タグＩＤに対応するカゴＩＤに基づいて、カゴ・患者ＤＢ２２ｋから前記カゴＩＤに関連付けられた患者ＩＤ及び処方箋データ（ＣＳＶファイル名）（換言すれば、当該調剤カゴ２に調剤した前回の患者の調剤・監査の情報）を読み出し、携帯端末１０に送信する。携帯端末１０では、当該調剤カゴ２に調剤した前記の患者の調剤データ又は監査データの提示処理が行われる。これにより、カゴＩＣタグ３を携帯端末１０で読み取ることにより、当該カゴＩＣタグ３が貼られた調剤カゴ２に調剤した前回の患者の調剤・監査の情報を携帯端末１０に表示させることが可能となっている。
【００９４】
医薬品在庫管理ＤＢ２２ｌには、医薬品を特定する医薬品コード（ＪＡＮコード、ＧＳ１データバーなど）、入荷データ、出荷データ、及び在庫データが登録されるようになっている。医薬品在庫管理ＤＢ２２ｌの入荷データは、医薬品の入荷手続きの際に、携帯端末１０又はレセプトコンピュータ３０から入力（更新）される。出荷データ及び在庫データは、監査完了時に登録（更新）される。携帯端末１０からサーバ２０の医薬品在庫管理ＤＢ２２ｌにアクセスすることによって、医薬品の在庫状態を確認することが可能となっている。
【００９５】
次に実施の形態（１）に係る調剤監査システム１の各部で実行される処理動作について説明する。図５は、実施の形態（１）に係る調剤監査システム１におけるユーザＩＣカード６と携帯端末１０とサーバ２０との間で実行されるログイン処理動作を示したフローチャートである。図６は、携帯端末１０の表示部１２に表示されるログイン画面の表示例を示した図であり、（ａ）はログイン待機画面、（ｂ）はログイン成功画面、（ｃ）はメニュー画面、（ｄ）はログイン不許可画面を示している。本処理動作は、調剤者（ユーザ）が自己のユーザＩＣカード６を携帯端末にかざすことによって開始される。
【００９６】
まず、ユーザがログイン待機中の携帯端末１０にＩＣカード６をかざすと、ステップＳ１において、ユーザＩＣカード６が、携帯端末１０のリーダ／ライタ部１６からの電波（又は磁界）を受信し、該受信した電波（又は磁界）により電力を発生させ、発生させた電力により、ＩＣカード６に埋め込まれたＩＣ（制御回路やメモリ）を動作させ、識別情報（ＩＣカードＩＤ）を含むデータを電波（又は磁界）に乗せて携帯端末１０へ送信する（ステップＳ２）。
【００９７】
ステップＳ３では、携帯端末１０が、ＩＣカード６から送信された電波（又は磁界）を受信し、該受信した電波（又は磁界）に含まれるデータ（ＩＣカードＩＤ）を読み取り（ステップＳ４）、識別情報（ＩＣカードＩＤ）を含むデータをサーバ２０へ送信する（ステップＳ５）。
【００９８】
ステップＳ６では、サーバ２０が、携帯端末１０から送信されたデータを受信し、該受信したデータに含まれている識別情報（ＩＣカードＩＤ）をＩＣタグ・カードＤＢ２２ｂと照合し（ステップＳ７）、照合できたか否かを判断する（ステップＳ８）。ステップＳ８において、照合できた（ＯＫ）と判断すればステップＳ９に進み、ＩＣタグ・カードＤＢ２２ｂから当該ＩＣカードＩＤに対応するユーザＩＤを抽出し（ステップＳ９）、次にユーザＩＤに対応するユーザ情報をユーザＤＢ２２ｃから抽出し（ステップＳ１０）、次に当該携帯端末１０にユーザ情報とログイン許可信号とを送信する（ステップＳ１１）。
【００９９】
ステップＳ１２では、携帯端末１０が、サーバ２０から送信されたユーザ情報とログイン許可信号と受信し、該受信したログイン許可信号に基づいてログイン処理を行い（ステップＳ１３）、ログイン待機画面（図６（ａ））からログイン成功画面（図６（ｂ））に表示を切り替え（ステップＳ１４）、その後メニュー画面（図６（ｃ））を表示し（ステップＳ１５）、処理を終える。
【０１００】
一方、ステップＳ８において、照合できなかったと判断すればステップＳ１６に進み、携帯端末１０にログイン不許可信号を送信する。
ステップＳ１７では、携帯端末１０が、サーバ２０から送信されたログイン不許可信号を受信し、ログイン不成功表示（図６（ｄ））を行い（ステップＳ１８）、その後処理を終える。
【０１０１】
図６（ｃ）に示すメニュー画面には、各種のメニュー項目が設けられており、ピッキングを開始する場合は、「ピッキング業務の開始」をタッチ操作すると、ピッキング画面に切り替わる。患者情報を調べる場合は、「患者情報を調べる」をタッチ操作すると、サーバ２０から患者情報を取得する画面に切り替わる。医薬品を調べる場合は、「医薬品を調べる」をタッチ操作すると、通信ネットワーク４０を介して外部の医薬品情報提供サーバに接続し、医薬品の情報提供画面に切り替わる。カゴＩＣタグ２、薬剤ＩＣタグ５、ユーザＩＣカード６の情報を登録変更等する場合は、「ＩＣシールの登録」をタッチ操作すると、これらの登録画面に切り替わる。図示しない登録画面では、カゴＩＣタグ２の識別情報に関連付けられる調剤カゴ２のカゴ名（かごＩＤ）を入力したり、薬剤ＩＣタグ５の識別情報に関連付けられる薬剤の情報（ＪＡＮコード、ＧＳ１データバーなど）を入力（バーコードの読取入力）したり、携帯端末１０のカメラ部１７で撮像した医薬品の写真データを登録（変更）したり、ユーザＩＣカード６に関連付けられるユーザの情報（ユーザ名、パスワード、カテゴリー選択）を入力することができ、入力された情報が、サーバ２０に送信され、記憶部２２の所定のデータベースに格納されるようになっている。また、システムの設定変更を行う場合は、「システムの設定」をタッチ操作すると、システムの設定変更画面に切り替わり、設定変更した情報がサーバ２０に送信され、システムの設定変更が反映されるようになっている。
【０１０２】
図７は、実施の形態（１）に係る調剤監査システム１におけるカゴＩＣタグ３と携帯端末１０とサーバ２０との間で行われるカゴＩＣタグ読取処理動作を示したフローチャートである。図８−１、図８−２は、携帯端末１０の表示部１２に表示されるカゴＩＣタグ読取後の画面の表示例を示した図である。本処理動作は、ログイン後、ユーザ（調剤者）が携帯端末１０を調剤カゴ２に付されたカゴＩＣタグ３にかざすことによって開始される。
【０１０３】
ユーザが携帯端末１０を調剤カゴ２に付されたカゴＩＣタグ３にかざすと、ステップＳ２１において、カゴＩＣタグ３が、携帯端末１０のリーダ／ライタ部１６からの電波（又は磁界）を受信し、該受信した電波（又は磁界）により電力を発生させ、発生した電力により、カゴＩＣタグ３に埋め込まれたＩＣ（制御回路やメモリ）を動作させ、識別情報（タグＩＤ）を含むデータを電波（又は磁界）に乗せて携帯端末１０に送信する（ステップＳ２２）。
【０１０４】
ステップＳ２３では、携帯端末１０が、カゴＩＣタグ３からの電波（又は磁界）を受信し、該受信した電波（又は磁界）に含まれるデータを読み取り（ステップＳ２４）、識別情報（タグＩＤ）を含むデータをサーバ２０へ送信する（ステップＳ２５）。
【０１０５】
ステップＳ２６では、サーバ２０が、携帯端末１０からのデータを受信し、受信したデータに含まれている識別情報（タグＩＤ）をＩＣタグ・カードＤＢ２２ｂと照合し（ステップＳ２７）、ＩＣタグ・カードＤＢ２２ｂから当該タグＩＤに対応するカゴＩＤ（カゴ名（例えば、外来１））を抽出する（ステップＳ２８）。次のステップＳ２９では、抽出したカゴＩＤをピッキング作業ＤＢ２２ｆと照合し、ピッキング作業ＤＢ２２ｆから当該カゴＩＤに関連付けられた薬剤コード（ＪＡＮコード）を抽出する（ステップＳ３０）。次のステップＳ３１では、抽出したカゴＩＤをカゴ・患者ＤＢ２２ｋと照合し、カゴ・患者ＤＢ２２ｆから当該カゴＩＤに関連付けられた患者ＩＤ及び／又はＣＳＶデータを抽出する（ステップＳ３２）。次のステップＳ３３では、これらＤＢから抽出したデータ（カゴＩＤを含むデータ）を携帯端末１０に送信する（ステップＳ３３）。
【０１０６】
ステップＳ３４では、携帯端末１０が、サーバ２０から送信されたカゴＩＤを含むデータを受信し、ステップＳ３５では、表示画面の所定箇所にカゴ名等を表示し、その後処理を終える。例えば、カゴＩＤのみを受信した場合、表示画面の上段部分にカゴ名（外来１）が表示される（図８−１（ａ））。カゴ名の横には、処方する患者名が表示されるようになっているが、患者が選択されていない場合、「未登録」と表示される。
また、カゴＩＤと共にピッキングした薬剤コードを受信した場合、表示画面の上段部分にカゴ名、「現在ピッキングしている分」の表示欄に前記薬剤コードに対応する薬剤名等が表示される（図８−１（ｂ））。
また、カゴＩＤと共に患者ＩＤ及びＣＳＶデータを受信した場合（監査未完了の場合）、表示画面の上段部分にカゴ名、その横に患者氏名、「まだピッキングしていない分］の表示欄にＣＳＶデータに含まれる処方薬剤名等が表示される（図８−１（ｃ））。一方、ＣＳＶデータを含まない場合（監査完了済みの場合）、表示画面に、前記患者ＩＤに対応する患者の監査履歴（図８−２（ａ））、又は前記患者の情報（図８−２（ｂ））を表示させることが可能となっている。
【０１０７】
図９は、実施の形態（１）に係る調剤監査システム１における薬剤ＩＣタグ５と携帯端末１０とサーバ２０との間で行われる薬剤ＩＣタグ読取処理動作を示したフローチャートである。図１０は、携帯端末１０の表示部１２に表示される薬剤ＩＣタグ読取後のピッキング画面の表示例を示した図である。本処理動作は、ログイン後、ユーザ（調剤者）が携帯端末１０を薬剤箱４に付された薬剤ＩＣタグ５にかざすことによって開始される。
【０１０８】
ユーザが携帯端末１０を薬剤ＩＣタグ５にかざすと、ステップＳ４１において、薬剤ＩＣタグ５が携帯端末１０のリーダ／ライタ部１６からの電波（又は磁界）を受信し、該受信した電波（又は磁界）により電力を発生させ、発生させた電力により、薬剤ＩＣタグ５に埋め込まれたＩＣ（制御回路やメモリ）を動作させ、識別情報（薬剤タグＩＤ）を含むデータを電波（又は磁界）に乗せて携帯端末１０に送信する（ステップＳ４２）。
【０１０９】
ステップＳ４３では、携帯端末１０が、薬剤ＩＣタグ５からの電波又は磁界を受信し、受信した電波又は磁界からデータを読み取り（ステップＳ４４）、識別情報（薬剤タグＩＤ）、ユーザＩＤ、カゴＩＤ、時刻を含むデータをサーバ２０へ送信する（ステップＳ４５）。
【０１１０】
ステップＳ４６では、サーバ２０が、携帯端末１０からデータを受信し、受信したデータに含まれている識別情報（薬剤タグＩＤ）をＩＣタグ・カードＤＢ２２ｂと照合し（ステップＳ４７）、ＩＣタグ・カードＤＢ２２ｂから当該薬剤ＩＣタグＩＤに対応するＪＡＮコード（医薬品の包装箱等に付されているバーコードデータ）を抽出し（ステップＳ４８）、該ＪＡＮコードに対応する薬剤情報を医薬品ＤＢ２２ｄから抽出し（ステップＳ４９）、ピッキング作業ＤＢ２２ｆにカゴＩＤ、ＪＡＮコード、ピッキング時間、ユーザＩＤなどのデータを記憶し（ステップＳ５０）、次に携帯端末１０（カゴＩＤが共通している端末）に薬剤情報とユーザ情報（調剤者情報）を送信する（ステップＳ５１）。
【０１１１】
ステップＳ５２では、携帯端末１０が、サーバ２０から送信された薬剤情報とユーザ情報（調剤者情報）を受信し、ステップＳ５３では、ピッキング画面の薬剤表示欄に薬剤の品目と調剤者名を表示し（図１０（ａ））、その後処理を終える。なお、医薬品特記事項ＤＢ２２ｅにポップアップ表示データが登録されている薬剤がピッキング画面に表示された場合には、取り扱い等の注意が必要な医薬品であることがポップアップ表示されるようになっている。また、図１０（ａ）に示した表示画面における「カメラ」ボタンをタッチ操作すると、カメラ部１７が起動し、薬剤のバーコードを撮像すると、該バーコードに対応する薬剤がピッキング中に追加される。また、図１０（ａ）に示した「マイク」ボタン（「カメラ」ボタンの右隣りに配置）をタッチ操作すると、音声認識アプリケーションが起動し（図１０（ｂ））、ユーザが薬剤名を発して音声認識された薬剤情報が表示される（図１０（ｃ））。この薬剤情報画面を通じて、音声認識して選択された薬剤をピッキング中の薬剤に追加する処理などを行うことが可能となっている。
【０１１２】
図１１は、実施の形態（１）に係る調剤監査システム１における携帯端末１０とサーバ２０との間で行われる品目監査処理動作を示したフローチャートである。図１２〜図１４は、携帯端末１０の表示部１２に表示される品目監査における各種画面表示例を示す図である。本処理動作は、ログイン後、画面（右上部）に表示された患者読込ボタンが操作された場合に実行される。また、サーバ２０の記憶部２２（処方箋データファイル２２ａ）には、レセプトコンピュータ３０から受信した患者の処方箋データが記憶されている。
【０１１３】
ステップＳ６１では、携帯端末１０が、画面に表示された患者読込ボタンの操作があったか否かを判断し、患者読込ボタンの操作があったと判断すれば、サーバ２０に未処方の患者リストの返信要求信号を送信する（ステップＳ６２）。
【０１１４】
ステップＳ６３では、サーバ２０が、携帯端末１０からの未処方の患者リストの返信要求信号を受信し、記憶部２２に記憶されている処方箋データファイル２２ａから患者リストデータ（ＣＳＶデータ）を読み出し携帯端末１０に送信する（ステップＳ６４）。
【０１１５】
ステップＳ６５では、携帯端末１０が、サーバ２０から患者リストデータを受信し、図１２に示すように患者リストを表示部１２にポップアップ表示する（ステップＳ６６）。次に当該患者リストに対して患者の選択操作があったか否かを判断し（ステップＳ６７）、患者の選択（タッチ操作）があったと判断すれば、選択患者の患者ＩＤ、ＣＳＶファイル名、現在のカゴＩＤ、及び選択患者の処方薬情報の返信要求信号をサーバ２０に送信する（ステップＳ６８）。
【０１１６】
ステップＳ６９では、サーバ２０が、携帯端末１０から送信された選択患者の患者ＩＤ、ＣＳＶファイル名、現在のカゴＩＤ、及び処方薬情報の返信要求を受信し、ステップＳ７０では、受信した患者ＩＤとＣＳＶデータ名とを当該カゴＩＤに関連付けてカゴ・患者ＤＢ２２ｋに登録（更新）するとともに、処方箋データファイル２２ａから選択患者の処方箋データを抽出し、所定のデータ形式（ＣＳＶデータからＪＳＯＮ形式）に変換した処方薬情報を携帯端末１０に送信する。
【０１１７】
ステップＳ７１では、携帯端末１０が、サーバ２０から選択患者の処方薬情報（患者氏名、処方薬剤の品目、数量を含む）を受信し、次のステップＳ７２では、ピッキング済みの薬剤があるか否かを判断し、ピッキング済み薬剤があると判断すれば、ピッキング済みの薬剤と選択患者の処方薬剤との品目照合を行う（ステップＳ７３）。なお、ステップＳ７３では、携帯端末１０で薬剤の品目照合の処理を行うようになっているが、別の実施の形態では、サーバ２０で薬剤の品目照合の処理を行い、携帯端末１０が、サーバ２０から品目照合の結果を受信して表示するように構成することもできる。
【０１１８】
次のステップＳ７４では、患者名、処方薬情報、及び照合結果の表示を行い（ステップＳ７４）、その後処理を終える。ステップＳ７４においては、例えば、図１３（ａ）に示すように、上段のカゴ名（外来１）の横に当該患者氏名を表示し、処方箋データの薬剤と一致するピッキング済み薬剤は、照合ＯＫを示す色（背景白）で表示し、処方箋データの薬剤と一致しないピッキング薬剤は照合ＮＧを示す色（背景赤）で表示する。また、未ピッキングの薬剤については、図１３（ｂ）に示すように、「まだピッキングしていない分」の薬剤表示欄に未ピッキングであることが分かる態様（青色）で表示する。
【０１１９】
一方ステップＳ７２において、ピッキング済の薬剤がないと判断すれば、患者名、処方薬情報の表示を行い（ステップＳ７５）、その後処理を終える。具体的には、図１４に示すように、上段のカゴ名（外来１）の横に当該患者氏名を表示し、未ピッキング分の薬剤表示欄（まだピッキングしていない分）に、処方薬剤の品目、数量情報を表示する。この場合、未ピッキングであることが分かる態様（背景を青色）で表示する。なお、未ピッキング分の薬剤表示欄に表示された薬剤をタッチ操作すると、当該薬剤に関する情報の他、医薬品特記事項ＤＢ２２ｅに記憶されているコメント、薬局内場所に関する情報が表示されるようになっている。
【０１２０】
図１５−１、図１５−２は、実施の形態（１）に係る調剤監査システム１における携帯端末１０とサーバ２０との間で行われる重量監査処理動作を示したフローチャートである。図１６〜図２２は、携帯端末１０の表示部１２に表示される重量監査における各種画面表示例を示す図である。
【０１２１】
なお、電子秤７の秤量データはサーバ２０にリアルタイムで更新されるようになっており、携帯端末１０は、サーバ２０に秤量データを所定間隔（例えば、0.2秒間隔）で読み込みに行くようにプログラムされている。したがって、携帯端末１０の表示部１２には、秤量データがリアルタイムで表示されるようになっている。本処理動作は、ログイン後、ピッキング画面の監査ボタンが操作された場合に実行される。
【０１２２】
ステップＳ８１では、携帯端末１０が、現在ピッキングしている分として表示されているピッキング薬剤に、監査対象とするためのチェックマークを付す操作及び監査ボタンの操作があったか否かを判断する。ステップＳ８１において、これら操作があったと判断すれば、ステップＳ８２に進み、チェック対象のピッキング薬剤の処方重量（合計重量）と、秤量データとが一致するか否かを判断する。ステップＳ８２において、一致すると判断すれば、重量ＯＫ表示（図１６）を行い（ステップＳ８３）、次に監査済みデータをサーバ２０へ送信し（ステップＳ８４）、監査終了分を示す画面（図１８）に監査済み薬剤の情報を表示する（ステップＳ８５）。なお、ステップＳ８２の重量一致の判断処理は、携帯端末１０で行われるようになっているが、別の実施の形態では、サーバ２０が、携帯端末１０から監査ボタンの操作信号を受けて、重量一致の判断処理を行い、該判断結果を携帯端末１０に送信し、携帯端末１０では、サーバ２０からの判断結果を受信して表示する形態にすることができる。
【０１２３】
次のステップＳ８６では、図１８に示す監査終了分を示す画面の写真ボタンの操作があったか否かを判断し、写真ボタンの操作があったと判断すれば、カメラ部１７を起動して撮像画面（図示せず）を表示し（ステップＳ８７）、シャッターボタン（図示せず）の操作があったか否かを判断し（ステップＳ８８）、シャッターボタンの操作があったと判断すれば、撮像データを記憶部１５に保存し（ステップＳ８９）、図１５−２に示すステップＳ９２に進む。
【０１２４】
一方ステップＳ８２において、データが一致しないと判断すれば、図１７（ａ）、（ｂ）に示すような監査（重量）不適・エラー表示を行い（ステップＳ９０）、次にＯＫ又はキャンセルボタンの操作を判断し（ステップＳ９１）、ＯＫボタンの操作があったと判断すればステップＳ８４に進む。一方ステップＳ９０において、キャンセルボタンの操作があったと判断すれば処理を終了する。
図１５−２に示すステップ９２では、監査終了分を示す画面の（監査）完了ボタンの操作があったか否かを判断し、完了ボタンの操作があったと判断すれば、次にステップ９３に進み、処方薬剤及びピッキング薬剤に対する監査が全て完了したか否かを判断し、全て完了したと判断すれば、図１９に示す服薬済登録確認画面を表示し（ステップＳ９４）、ＯＫ又はキャンセルの操作を判断し（ステップＳ９５）、ＯＫボタンの操作があったと判断すれば、ステップＳ９６に進み、監査完了データをサーバ２０へ送信し、その後、図２０に示す監査終了表示を行い（ステップＳ９７）、処理を終了する。一方ステップＳ９５において、キャンセルボタンの操作があったと判断すれば、ステップＳ９７に進み、その後処理を終える。
【０１２５】
一方ステップＳ９３において、監査が完了していないと判断すれば、ステップＳ９８に進み、図２１（ａ）〜（ｃ）に示すような各種の確認画面（誤ピッキング、未監査、未ピッキング等の確認・エラー画面）を表示し、確認ＯＫボタンが操作されると、図２２に示すような服薬済登録確認画面を表示し（ステップＳ９９）、ＯＫ又はキャンセルの操作を判断し（ステップＳ１００）、ＯＫボタンの操作があったと判断すればステップＳ９６に進む一方、キャンセルボタンの操作があったと判断すればその後処理を終える。
【０１２６】
一方サーバ２０では、図１５−１に示すステップＳ１０１において、携帯端末１０から送信された監査済データ（ステップＳ８４）を受信すると、次に、監査済データをピッキング作業ＤＢ２２ｆに登録する処理を行う（ステップＳ１０２）。
【０１２７】
また、サーバ２０では、図１５−２に示すステップＳ１０３において、携帯端末１０から送信された監査完了データ（ステップＳ９６）を受信すると、次に、監査完了データを監査完了薬剤ＤＢ２２ｇに登録するとともに医薬品在庫管理ＤＢ２２ｌに監査完了薬剤の出荷（数）データ及び在庫（数）データを登録（更新）する処理を行い（ステップＳ１０４）、次に監査履歴ＤＢ２２２ｈ、患者情報ＤＢ２２ｉ、監査済処方箋ＤＢ２２ｊの更新登録の処理を行い（ステップＳ１０５）、その後処理を終える。
【０１２８】
上記実施の形態（１）に係る調剤監査システム１によれば、ＮＦＣ方式の安価なカゴＩＣタグ３と薬剤ＩＣタグ５、ＮＦＣ方式のリーダ／ライタ部１６を備えた市販の携帯端末１０、及び比較的安価なサーバ２０で構成できるので、安価なシステムとして提供することができ、小規模の薬局等においても導入しやすいシステムとすることができる。
【０１２９】
また、カゴＩＣタグ３と薬剤ＩＣタグ５とを使用することによって、携帯端末１０によるこれらタグの読取作業を簡単に行うことができ、薬剤のピッキング作業の効率を高めることができる。また、サーバ２０（情報処理手段）により、調剤カゴ２の情報（ＩＣタグ・カードＤＢ２２ｂ）とピッキング薬剤の情報（ピッキング作業ＤＢ２２ｆ）とが関連付けられるとともに、調剤カゴ２の情報（ＩＣタグ・カードＤＢ２２ｂ）と当該調剤カゴ２に調剤していく患者の処方箋情報（ピッキング作業ＤＢ２２ｆ、処方箋データファイル２２ａ）とが関連付けられるので、調剤カゴ２の情報を共通にするピッキング薬剤の情報（ピッキング作業ＤＢ２２ｆ）と患者の処方箋情報（処方箋データファイル２２ａ）とを関連付けることが可能となる。
【０１３０】
そのため、調剤カゴ２単位で薬剤の品目監査と薬剤の重量監査とを行うことができ、処方された薬剤の品目監査だけでなく薬剤の重量監査も調剤カゴ２単位（換言すれば患者単位）で効率良く適切に行うことができ、薬剤の選択誤りだけでなく、秤量・計量の間違いの発生も防止することができる。
【０１３１】
また、１つの調剤カゴ２（カゴＩＣタグ３）と複数の携帯端末１０とを関連付けることが可能となるため、１つの調剤カゴ２に対するピッキング薬剤の情報を複数の携帯端末１０にすべてに反映させる（共有する）ことができ、１人の患者の薬剤を複数の調剤者で（複数の携帯端末１０を用いて）ピッキングする場合の作業効率を高めることができる。
なお、本発明に係る前記情報処理手段、前記品目監査手段、及び重量監査手段としての機能は、サーバ２０又は携帯端末１０のいずれかに装備させる場合の他、サーバ２０と携帯端末１０とにその機能を分散させもよい。
【０１３２】
また、調剤監査システム１によれば、サーバ２０は、記憶部２２から読み出した調剤カゴ２の情報、ピッキング薬剤の情報、調剤カゴ２に調剤していく患者の処方箋情報、及び電子秤７から取得した秤量データを携帯端末１０に適宜送信することができ、一方、携帯端末１０は、サーバ２０から受信した調剤カゴ２の情報、ピッキング薬剤の情報、及び調剤カゴ２に調剤していく患者の処方箋情報を関連付けた態様、すなわち、調剤カゴ２単位で表示部１２に表示させることができ、ピッキング作業の状態を把握しやすく表示することができる。また、品目及び重量の監査の結果が報知されるので、携帯端末１０を通じて監査結果を把握することができる。
【０１３３】
また、調剤監査システム１によれば、携帯端末１０でカゴＩＣタグ３の情報を読み取った場合に、サーバ２０からカゴＩＣタグ３と関連付けられた調剤カゴ２のカゴＩＤと、患者の処方箋データ（ＣＳＶデータ）又は患者の調剤監査の情報、すなわち、当該調剤カゴ２に調剤した前回の患者の情報を受信して、表示部１２に表示させることができる。
例えば、調剤カゴ２に薬剤をピッキングして保管しておいた場合等において、当該調剤カゴ２に貼付されたカゴＩＣタグ３を携帯端末１０にかざして読み取るだけで、前回の患者の情報（ピッキングしておいた薬剤の情報や監査履歴等の情報）を表示させることができ、調剤及び監査作業をスムーズに行うことが可能となり、利便性を高めることができる。
また、調剤監査システム１によれば、携帯端末１０の表示部１２に、患者の処方薬剤（未ピッキング分）の情報画面と、ピッキング薬剤（現在ピッキングしている分）の情報画面と、監査を完了した薬剤（監査完了分）の情報画面とをスライド切り換え可能に表示させることができ、表示部１２が比較的小さな場合であってもこれらの情報を簡単に確認することが可能となる。
【０１３４】
また、調剤監査システム１によれば、携帯端末１０の表示部１２に患者の処方薬剤を表示する場合（未ピッキング分の表示画面）に、ピッキング済の薬剤と未ピッキングの薬剤とを識別可能な態様で表示させるので、ピッキング済の薬剤と未ピッキングの薬剤との識別を容易に行うことが可能となり、未ピッキングの薬剤のピッキング作業をスムーズに行うことができる。
【０１３５】
また、調剤監査システム１によれば、携帯端末１０の表示部１２にピッキング薬剤の処方重量データと、サーバ２０から受信した秤量データとがリアルタイムに表示されるので、適切な数量の薬剤が秤量されているか否かを調剤者が簡単に確認することができ、秤量・計量間違いに早目に気付くことが可能となる。
【０１３６】
また、調剤監査システム１によれば、携帯端末１０では、サーバ２０から受信したピッキング薬剤の情報に取扱注意情報が含まれている場合、該取扱注意情報をポップアップ表示にて報知することができ、取扱注意が必要な薬剤であることを調剤者に喚起させることができ、ピッキング作業の安全性を高めることができる。
【０１３７】
また、調剤監査システム１によれば、処方薬剤の薬局内配置場所が分からない場合、選択された薬剤の薬局内配置場所に関する情報を携帯端末１０の表示部１２に表示させることができるので、調剤者は当該薬剤の薬局内配置場所を簡単に把握することができ、ピッキング作業の効率を高めることができる。
【０１３８】
また、携帯端末１０が、メニュー画面において、「ＩＣシールの登録」メニュー（調剤カゴ情報登録手段、薬剤情報登録手段）を備えているので、カゴＩＣタグ３の識別情報と対応付ける調剤カゴ２の情報と、薬剤ＩＣタグ５の識別情報と対応付ける薬剤の情報とを、携帯端末１０を介してサーバ２０に簡単に登録することができ、使い勝手の良いシステムとすることができる。
【０１３９】
また、調剤監査システム１によれば、品目監査及び重量監査が終了した場合に、当該監査した情報を監査履歴としてサーバ２０の記憶部２２に登録することができ、該登録された情報を監査履歴として当該システムで活用することができる。具体的には、携帯端末１０が患者の監査履歴をサーバ２０から取得して表示部１２に表示させることができるので、調剤者は、患者の監査履歴を確認し、調剤作業に活用することができる。
【０１４０】
また、調剤監査システム１によれば、携帯端末１０のカメラ部１７により撮像された監査済薬剤の撮像データを監査した情報と対応付けて監査済カゴ画像としてサーバ２０に登録することができ、サーバ２０に登録された監査済薬剤の撮像データを画像で確認することによって、調剤誤りの有無（患者からの調剤誤りの問合せ）などについて客観的に確認することが可能となる。
【０１４１】
また、調剤監査システム１によれば、サーバ２０に登録されたユーザ情報に対応するＩＣカード６によってのみ当該システムへのログインを許可するので、正規のＩＣカード６の所有者以外の者が本システムを使用することを防止することができ、システムのセキュリティを高めることができる。
【０１４２】
また、調剤監査システム１によれば、サーバ２０及び携帯端末１０が、内部電源（バッテリ電源）により駆動可能に構成されているので、災害時などの停電状況でもシステムの動作が可能となり、緊急時にも対応できるシステムとすることができる。
【０１４３】
図２３は、実施の形態（２）に係る調剤監査システムを構成する要部を概略的に示した図であり、実施の形態（１）に係る調剤監査システム１を構成する要部と同一機能を有する構成には同一符号を付し、その説明を省略することとする。
【０１４４】
実施の形態（２）と実施の形態（１）との大きな相違点は、実施の形態（１）では、カゴＩＣタグ３、薬剤ＩＣタグ５を使用していたが、実施の形態（２）では、カゴＩＣタグ３、薬剤ＩＣタグ５を使用せずに、より簡単に調剤監査を実行できるシステムになっている。なお、実施の形態（２）に係る調剤監査システム１Ａの機能と、実施の形態（１）に係る調剤監査システム１の機能とを含むシステム構成とすることもでき、システムの設置環境等に応じて各システムの機能を使い分け可能な構成にすることもできる。
【０１４５】
調剤監査システム１Ａは、端末装置（携帯端末）１０Ａと、通信ネットワーク４０等を介して端末装置１０Ａや外部サーバ（図示せず）等と通信可能なサーバ２０Ａと、医薬品（薬剤）８に付された医薬品コード８ａ、例えば、医薬品の調剤包装単位で表示された調剤包装単位コード（ＧＳ１データバー）等の薬剤バーコードを光学的に読み取り可能なバーコードリーダー９と、ピッキングした薬剤の重量を秤量する電子秤７Ａとを含んで構成されている。なお、端末装置１０Ａとサーバ２０Ａとを外部の通信ネットワーク４０を介さずに、直接通信可能に接続する構成とすることもできる。
【０１４６】
バーコードリーダー９は端末装置１０Ａに接続され、バーコードリーダー９で読み取られたデータが端末装置１０Ａに送信される（取り込まれる）。電子秤７Ａは端末装置１０Ａに接続され、電子秤７Ａで秤量されたデータが端末装置１０Ａに送信される（取り込まれる）。
図２３には、端末装置１０Ａ、電子秤７Ａをそれぞれ１台だけ記載しているが、調剤監査システム１Ａは、端末装置１０Ａ及び／又は電子秤７Ａを複数台使用可能なシステムとなっており、各端末装置１０Ａとサーバ２０Ａとの間で各種データの共有が可能なシステムとなっている。
【０１４７】
端末装置１０Ａは、タブレット端末、スマートフォン端末、ノートパソコンなどの多機能情報端末装置で構成され、図２に示すように、制御部１１Ａ、表示部１２、操作部１３、無線通信部１４、記憶部１５Ａ、バーコードリーダー９や電子秤７Ａからのデータ等を入出力するための入出力ＩＦ１６Ａ、カメラ部１７、音声入力部１８、バッテリ電源１９を含んで構成されている。記憶部１５Ａには、サーバ２０Ａとの間でデータのやり取りを行いながら調剤監査を実行するためのプログラム（アプリケーション）、撮像機能や音声認識機能など、端末装置１０Ａの有する各種機能を実現するためのプログラムが記憶されている。
【０１４８】
サーバ２０Ａは、端末装置１０Ａからの要求等に応じて調剤監査に関するデータや機能を提供するコンピュータであり、図３に示したサーバ２０と略同様の機能を有している。
記憶部２２Ａには、調剤監査システム１Ａの処理に利用される各種データが記憶されるとともに、調剤監査後の各種データが登録されるように構成されている。
【０１４９】
制御部２１ＡのＲＯＭ（図示せず）には、端末装置１０Ａとの間でデータのやり取りを行いながら各種のデータ処理、調剤監査処理（品目監査手段、重量監査手段）、各種ＤＢの登録・更新処理などを実行するためのプログラムが格納されている。また、サーバ２０Ａはレセプトコンピュータ３０に接続され、レセプトコンピュータ３０から患者の処方箋データを含む各種データが適宜取り込まれ、記憶部２２Ａに記憶されるようになっている。
【０１５０】
サーバ２０Ａの記憶部２２Ａには、図４に示した各種データと同様のデータ（データベースやファイル）が記憶されるようになっている。図４中の矢印は、データベース（ＤＢ）間のデータの関連付け（紐付け関係）の一例を示しているが、データの関連付けはこの形態に限定されるものではなく、本実施の形態では、薬剤バーコード（医薬品コード８ａ）を使用してデータの関連付けが行えるようになっている。
【０１５１】
次に実施の形態（２）に係る調剤監査システム１Ａの各部で実行される処理動作について説明する。まず、端末装置１０Ａを操作して本システムにログインする。ログインの方法は、特に限定されないが、例えば、上記実施の形態（１）に係る調剤監査システム１と同様の方法（図５、６）やパスワード等の入力でログインする方法などが採用され得る。
【０１５２】
端末装置１０Ａがシステムにログインすると、端末装置１０Ａとサーバ２０Ａとの間でデータ通信が可能となる。また、サーバ２０Ａの記憶部２２Ａ（処方箋データファイル２２ａ）には、レセプトコンピュータ３０に入力された各患者の処方箋データが随時登録されるようになっている。また、端末装置１０Ａで調剤監査が実行される患者の処方箋データや監査済の患者情報などは、サーバ２０Ａから端末装置１０Ａに所定のタイミング（ログイン時、データ更新時等）で送信され、ログイン中は端末装置１０Ａの記憶部１５Ａに一時記憶され、ログアウト時に記憶部１５Ａから消去されるようになっている。
【０１５３】
ログインに成功すると、端末装置１０Ａの表示部１２に、例えば、図２４に示すメニュー画面が表示される。図２４に示したメニュー画面には、各種のメニュー項目が設けられている。なお、メニュー画面は、図２４に示した形態に限定されるものではなく、異なる表示形態としたり、異なるメニュー項目を表示させることが可能である。「ピッキング」メニューは、スマートフォンなどの小型の端末装置を用いて薬剤をピッキングする場合に選択する。「ピッキング」がタッチ操作されると、スマートフォン等に適したピッキングモード画面（図３０（ａ））に切り替わる。「患者」メニューは、患者情報を調べる場合に選択する。「患者」がタッチ操作されると、サーバ２０Ａから患者情報を取得する画面に切り替わる。
【０１５４】
「在庫管理」メニューは、薬剤の棚番設定、在庫・入庫・出庫状況等を調べる場合に選択する。「在庫管理」がタッチ操作されると、在庫管理画面に切り替わる。図２５は、在庫管理画面のうちの薬剤棚作成・設定画面の一表示例を示した図である。端末装置１０Ａを通じて、薬局に設置される薬剤棚の各棚位置と各棚に配置される薬剤との関連付けを行うことができるようになっている。
【０１５５】
図２５（ａ）は、薬剤棚（棚番）作成画面の表示例であり、縦横方向に棚数を自由に増減させることが可能となっている。図２５（ｂ）は、新規に棚に配置する薬剤の薬剤バーコードをバーコードリーダー９で読み込んだ状態を示す表示例であり、Ａ１棚、Ｂ１棚に配置する薬剤が設定された状態を示している。図２５（ｃ）は、薬剤棚の棚名などの設定を行うための画面表示例である。図２５（ｄ）は、薬剤の画像を選択（表に移動）するための画面表示例である。
【０１５６】
「ＩＣ登録」メニューは、ユーザＩＣカード６、図示しないカゴＩＣタグや薬剤ＩＣタグの情報を登録変更等する場合に選択する。「ＩＣ登録」がタッチ操作されると、図示しない登録画面に切り替わる。これら登録画面に入力された情報が、サーバ２０Ａに送信され、サーバ２０Ａの記憶部２２Ａに設けられたデータベースに登録される。
【０１５７】
また、「カメラモード」メニューは、表示部１２が比較的大きいタブレット端末を用いてピッキングを開始する場合に選択する。「カメラモード」がタッチ操作されると、カメラモード画面（図２７−１（ａ））に切り替わる。
【０１５８】
また、「周辺設定」メニューは、システムの周辺設定を行う場合に選択する。「周辺設定」がタッチ操作されると、図示しないシステムの周辺設定（バーコードリーダ、電子秤、通信手段等）の設定画面に切り替わり、当該設定画面で設定変更された情報がサーバ２０Ａに送信され、周辺設備の設定変更がシステムに反映されるようになっている。
【０１５９】
「カメラモード」画面（図２７−１、図２７−２）、「ピッキング」画面（図３０）は、調剤監査画面としての機能を有しており、この画面を通じて、後述する品目監査処理と重量監査処理とが実行される。
「カメラモード」画面や「ピッキング」画面を通じて実行される品目監査処理及び重量監査処理は、調剤対象患者毎に実行され、また、１人の調剤対象患者の処方薬剤全ての品目監査と重量監査が完了すると、自動的に（すなわち、作業者が端末装置１０Ａの操作（患者選択操作等）を行うことなく）次の調剤対象患者の調剤監査が行える画面に切り替えられ、作業者は、直ちに次の調剤対象患者の調剤作業を開始できるようになっている。
【０１６０】
また、作業者がバーコードリーダー９を用いて、ピッキングした薬剤の薬剤バーコード８ａの読み取り作業を開始すると、自動的に品目監査処理が実行され、該品目監査を完了した薬剤を作業者が電子秤７Ａに載せると、自動的に重量監査処理が実行されるようになっており、品目監査及び重量監査を実行するための端末装置１０Ａに対する調剤者の操作が極力少なくなるように構成されている。
【０１６１】
図２６は、実施の形態（２）に係る調剤監視システム１Ａにおける端末装置１０Ａとサーバ２０Ａとの間で行われる品目監査処理動作を示したフローチャートである。また、図２７−１、図２７−２は、端末装置１０Ａの表示部１２に表示されるカメラモードの監査画面の表示例を示した図である。
【０１６２】
本処理動作は、図２４に示したメニュー画面において、「カメラモード」又は「ピッキング」メニューが選択された場合に実行される。ここでは、端末装置１０Ａとしてタブレット端末が使用され、「カメラモード」が選択された場合について説明する。
【０１６３】
まず、ステップＳ１１１において、端末装置１０Ａは、メニュー画面で「カメラモード」が選択（タッチ操作）されか否かを判断し、カメラモードが選択されたと判断すれば、ステップＳ１１２に進み、カメラモードによる調剤画面（カメラモード画面）を表示する。
図２７−１（ａ）に示したカメラモード画面の一例では、画面左側に待機中の患者リスト欄、監査済の患者リスト欄、監査履歴欄が設けられ、画面右側に、薬剤のピッキング（取り揃え）を行う患者の処方箋情報が表示される患者情報欄、電子秤７Ａを使って重量監査された薬剤を撮影するためのモニター画面が設けられている。
【０１６４】
患者情報欄には、これから調剤する患者の処方箋情報が自動的に表示され、処方薬剤毎に薬剤の名称、数量、服用・使用方法、薬剤棚（箱）位置情報、薬剤写真などを含む情報がバー表示される。各薬剤バー表示の背景色は、ピッキング前の状態であることを示す所定の色（例えば、緑色）となっている。
作業者は、患者情報欄に表示された薬剤の情報を参照しながらピッキング作業を開始する。すなわち、作業者は、患者情報欄に表示された薬剤を薬剤棚から取り出し、取り出した薬剤の包装等に付されたＧＳ１データバー等の薬剤バーコード（医薬品コード８ａ）をバーコードリーダー９で読み取る作業を行う。
【０１６５】
そして、ステップＳ１１３において、端末装置１０Ａが、バーコードリーダー９で読み込まれた薬剤バーコードを検出したか否かを判断し、薬剤バーコードを検出したと判断すればステップＳ１１４に進む。
ステップＳ１１４では、検出した薬剤バーコードと、患者情報表示欄に表示されている薬剤の薬剤バーコード（記憶部１５Ａに一時記憶されているデータ）とを照合する処理（品目監査）を行い、次のステップＳ１１５において、薬剤バーコードが一致するか否かを判断する。
【０１６６】
ステップＳ１１５において、薬剤バーコードが一致する、すなわち薬剤の品目が一致すると判断すればステップＳ１１６に進み、図２７−１（ｂ）に示すような品目一致表示を行う。すなわち、当該薬剤（アス○○シロップ）のバー表示を患者情報欄から待機欄に移動させるとともに、薬剤バー表示の背景色を、品目が一致したことを示す色（例えば、黄色）で表示して、その後ステップＳ１１７に進む。
ステップＳ１１７では、電子秤７Ａから秤量データ（０ｇ以上）を検出したか否かを判断し、秤量データを検出したと判断すれば図２８に示す重量監査処理１３０へ進む一方、秤量データを検出していないと判断すればステップＳ１１３に戻り、引き続き品目監査処理を継続する。
【０１６７】
一方ステップＳ１１５において、薬剤バーコードが一致しない、すなわち薬剤の品目が一致しないと判断すればステップＳ１１８に進み、端末装置１０Ａの端末ＩＤと当該薬剤バーコードのデータをサーバ２０Ａに送信する。
サーバ２０Ａでは、ステップＳ１１９において、端末装置１０Ａからのデータを受信し、次のステップＳ１２０において、受信した薬剤バーコードに対応する医薬品情報を医薬品ＤＢ２２ｄから抽出し、次のステップＳ１２１において、抽出された医薬品情報を端末装置１０Ａに送信する。
【０１６８】
端末装置１０Ａでは、ステップＳ１２２において、サーバ２０Ａから医薬品情報等を受信し、次のステップＳ１２３において、図２７−１（ｃ）に示す品目不一致表示を行う。すなわち、待機欄に、間違えてピッキングした薬剤（オイ○○ン錠）の情報（名称、画像データ等）を、品目が一致しなかったこと示す背景色（例えば、赤色）で表示する。その後ステップＳ１１３に戻り、品目監査処理を繰り返す。
【０１６９】
待機欄に表示された赤色のバー表示（図２７−１（ｃ））により品目間違い（ピッキング間違い）に気が付いた作業者は、再度正しい薬剤のピッキング作業及び薬剤バーコードの読み込み作業を行う。図２７−１（ｄ）は、ステップＳ１２３における品目不一致表示後、再度、品目監査処理を行って、品目一致表示がされた状態を示す画面表示例である。なお、待機欄に表示された赤色の薬剤バー表示は、指先でタッチした状態のまま横にスライドさせる等の消去操作により消去されるようになっている。
【０１７０】
患者情報欄に複数の薬剤が表示されている場合は、バーコードリーダー９で各薬剤の薬剤バーコードの読み取りを順次行い、全ての薬剤の品目監査を完了させるまで、すなわち、全ての薬剤について品目一致表示をさせるまで、上記薬剤バーコードの読み取り作業を繰り返す。図２７−２（ｅ）は、処方された全ての薬剤の品目監査を正常に完了した状態を示す画面表示例である。処方された全ての薬剤のバー表示が、患者情報欄から待機欄に表示され、背景色が、全て品目が一致している色（例えば、黄色）で表示されている。
なお、全ての薬剤について品目監査を完了した後に重量監査に進む方法の他、薬剤毎に品目監査と重量監査とを繰り返し行う方法、すなわち、１つの薬剤について品目監査を行った後、計数した当該薬剤を電子秤７Ａに載せて重量監査を行い、この作業を薬剤毎に繰り返す方法を採用することもできる。
【０１７１】
また、上記品目監査処理では、ステップＳ１１４の品目監査を端末装置１０Ａで実行するように構成されているが、別の実施の形態では、サーバ２０Ａで薬剤の品目監査を実行するように構成することもできる。すなわち、端末装置１０Ａが、検出した薬剤バーコード、端末ＩＤ、調剤患者の患者ＩＤ及び処方箋ＩＤをサーバへ送信する。サーバ２０Ａでは、端末装置１０Ａから受信した患者ＩＤ及び処方箋ＩＤに基づいて、処方箋データファイル２２ａから対応患者の処方箋データを抽出し、該処方箋データの処方薬剤データと、前記検出した薬剤バーコードのデータとを照合する処理を行い、前記検出した薬剤バーコードと一致する薬剤バーコードのデータがあるか否か、すなわち、薬剤の品目が一致するか否かを判断する。薬剤の品目が一致すると判断すれば、品目監査結果（品目一致結果）を端末装置１０Ａに送信し、端末装置１０Ａにおいて、ステップＳ１１６の品目一致表示処理を行うようにする。
【０１７２】
一方、サーバ２０Ａが、薬剤の品目が一致しないと判断した場合、医薬品ＤＢ２２ｄから、前記検出した薬剤バーコードに対応する医薬品情報（名称、薬剤画像データなど）を抽出し、品目監査結果（品目不一致結果及び医薬品情報）を端末装置１０Ａに送信し、端末装置１０Ａにおいて、ステップＳ１２３の品目不一致表示処理を行うように構成することができる。
【０１７３】
図２８は、実施の形態（２）に係る調剤監視システム１Ａにおける端末装置１０Ａとサーバ２０Ａとの間で行われる重量監査処理動作を示したフローチャートである。
なお、電子秤７Ａの秤量データは端末装置１０Ａにリアルタイムで送信されるように（常時計測可能に）なっている。また、本重量監査処理は、図２６に示した品目監査処理に引き続いて実行されるようになっている。また、本重量監査処理では、複数の薬剤全てについて品目監査処理を行った後、これら品目監査が完了した複数の薬剤を一度の秤量操作により、まとめて重量監査を行うことができ、また、薬剤一品目毎に品目監査処理と重量監査処理とを一連の作業として繰り返し行うこともできる。
【０１７４】
まず、ステップＳ１３１において、端末装置１０Ａでは、電子秤７Ａから秤量データ（０ｇ以上のデータ）を検出したか否かを判断し、秤量データを検出したと判断すればステップＳ１３２に進む。
ステップＳ１３２では、検出した秤量データと、待機欄に表示されている当該患者の処方薬剤の数量・重量データ（記憶部１５Ａに一時記憶されているデータ）とを照合する処理（重量監査処理）を行い、薬剤の重量が一致するか否かを判断する（ステップＳ１３３）。
ステップＳ１３３において、薬剤の重量が一致すると判断すればステップＳ１３４に進み、重量一致（重量監査ＯＫ）表示を行う。
【０１７５】
例えば、図２７−２（ｆ）に示した図は、図２７−２（ｅ）に示した状態の後、すなわち、処方された全ての薬剤の品目監査が完了した後、ピッキングした全ての薬剤を電子秤７Ａに載せて秤量し、該秤量データと処方薬剤の重量データとが一致（全ての薬剤の重量が一致）した状態を示している。図２７−２（ｆ）に示すように、待機欄から完了欄に薬剤バー表示を表示するとともに、薬剤バー表示の背景色を、重量が一致したことを示す色（例えば、白色）で表示して、画面下部に「重量監査ＯＫ」の表示を行う。
【０１７６】
複数の薬剤が処方されている場合は、図２７−２（ｅ）、（ｆ）に示したように、品目監査を終えた複数の薬剤の重量監査をまとめて実行する方法の他、薬剤毎に上記薬剤バーコードの読み取り作業に基づく品目監査と、重量の秤量作業に基づく重量監査とを繰り返し行うようにすることもできる（図３０（ｂ）、（ｃ）参照）。
【０１７７】
一方ステップＳ１３３において、薬剤の重量が一致しないと判断すればステップＳ１３５に進み、重量不一致結果（計数間違い情報）を表示部１２に表示する。計数間違い情報には、例えば、秤量データと処方薬剤の重量データとに基づいて算出された重量間違い情報（○○ｇ過剰、○○錠不足等）が含まれている。
重量不一致結果（計数間違い情報）の表示により計数間違いに気が付いた作業者は、再度正しい薬剤の計数作業及び秤量作業を行う。なお、表示部１２に表示された重量不一致結果（計数間違い情報）は、画面に表示された削除ボタンをタッチ操作（削除操作）することにより消去される。
【０１７８】
ステップＳ１３４の重量一致（重量監査ＯＫ）表示後、ステップＳ１３６に進み、カメラ部１７を起動させて、電子秤７Ａの上に載せられた監査済薬剤を自動撮影して画像を記憶し、次にステップＳ１３７に進む。なお、表示部１２に表示された撮影ボタンをタッチして撮影することもできる。
ステップＳ１３７では、全ての薬剤の品目監査が完了しているか否かを判断し、全ての薬剤の品目監査が完了していないと判断すればステップＳ１１３（図２６）に戻り、品目監査から処理を繰り返す一方、全ての薬剤の品目監査が完了していると判断すればステップＳ１３８に進む。
【０１７９】
ステップＳ１３８では、全ての薬剤の重量監査が完了しているか否かを判断し、全ての薬剤の重量監査が完了していないと判断すればステップＳ１３１に戻り、重量監査処理を繰り返す一方、全ての薬剤の重量監査が完了していると判断すればステップＳ１３９に進む。
ステップＳ１３９では、当該患者の調剤監査（品目・重量）情報を含む監査完了情報をサーバ２０Ａへ送信（アップロード）する。監査完了情報には、サーバ２０Ａの記憶部２２Ａに設けられた監査完了薬剤ＤＢ２２ｇ、監査履歴ＤＢ２２ｈ、監査済処方箋ＤＢ２２ｊ、患者情報ＤＢ２２ｉに登録するために必要な情報が含まれている。
【０１８０】
サーバ２０Ａへの監査完了情報の送信が完了すると、ステップＳ１４０に進み、待機中の患者リストの中から次に調剤する患者の処方箋情報（記憶部１５Ａに一時記憶されている）を患者情報欄に表示するとともに、監査済の患者リスト欄に調剤監査を完了した患者情報を追加表示する処理を行い（図２７−２（ｈ））、当該患者の調剤監査処理を終え、次の患者の調剤監査（品目及び重量監査）処理が行えるようになっている。
【０１８１】
一方サーバ２０Ａでは、ステップＳ１３９において、端末装置１０Ａから送信された監査完了情報を受信し、ステップＳ１４０において、受信した監査完了情報を記憶部２２Ａの所定のＤＢ（監査完了薬剤ＤＢ２２ｇ、監査履歴ＤＢ２２ｈ、監査済処方箋ＤＢ２２ｊ、患者情報ＤＢ２２ｉ、医薬品在庫管理ＤＢ２２ｌ等）に登録する処理を行う。カメラモードによる上記調剤監査処理は、作業者からの所定の終了操作が行われるまで継続されるようになっている。
【０１８２】
なお、上記重量監査処理では、ステップＳ１３２の重量監査を端末装置１０Ａで実行するように構成されているが、別の実施の形態では、サーバ２０Ａで重量監査を行うように構成することもできる。すなわち、端末装置１０Ａが、検出した秤量データと、端末ＩＤと、調剤している患者の患者ＩＤ及び処方箋ＩＤとをサーバ２０Ａへ送信する。サーバ２０Ａでは、端末装置１０Ａから受信した患者ＩＤ及び処方箋ＩＤに基づいて、処方箋データファイル２２ａから対応患者の処方箋データを抽出し、該処方箋データの処方薬剤データ（数量データ）と、受信した薬剤の秤量データとを照合する処理を行い、受信した秤量データと一致する薬剤の数量データがあるか否か、すなわち、薬剤の重量が一致するか否かを判断する。そして、薬剤の重量が一致すると判断すれば、重量監査結果（重量一致結果）を端末装置１０Ａに送信し、端末装置１０Ａは、ステップＳ１３４の重量一致表示処理を行う。
【０１８３】
一方サーバ２０Ａが、薬剤の重量が一致しないと判断した場合、重量間違い情報（○○ｇ過剰、○○錠不足等）を算出し、重量監査結果（重量不一致結果及び重量間違い情報）を端末装置１０Ａに送信し、端末装置１０Ａが、ステップＳ１３５の重量不一致表示処理を行うように構成することができる。
【０１８４】
また、図２７−１、図２７−２に示したカメラモードの監査画面には、画面右端に、メニューボタン（＋マークで示したボタン）が設けられている。該メニューボタンをタッチ操作すると、図２９（ａ）に示すように、メニューボタン（×マークに変化）の上方に写真表示ボタン、処方箋表示ボタン、監査済ボタンが表示される。写真表示ボタンがタッチ操作されると、図２９（ｂ）に示すように、過去に撮影した写真（重量監査写真）が日時入りで表示される。処方箋表示ボタンがタッチ操作されると、図２９（ｃ）に示すように、現在調剤中の患者の処方箋が表示される。また、監査済ボタンがタッチ操作されると、監査済にする薬剤を選択する画面が表示され、作業者が、監査済にする薬剤を選択すると、当該薬剤について監査済にする処理（完了欄に薬剤を表示させる処理を含む）が行われるようになっている。なお、前記メニューボタンにより表示させる機能ボタンは、上記した写真表示ボタン、処方箋表示ボタン、監査済ボタンに限定されるものではなく、他の機能を有するボタンを表示させることもできる。例えば、作業者が自分自身でピッキングした薬剤のみを表示させるための機能ボタンを表示させてもよく、係る機能ボタンを設けることによって、同一患者について複数の作業者がピッキング作業をしている場合であっても、作業者は自分自身でピッキングした薬剤のみを簡単に把握することができる。
【０１８５】
上記実施の形態（２）では、図２４に示したメニュー画面の「カメラモード」で品目・重量監査を行う場合について説明したが、メニュー画面の「ピッキング」モードで品目・重量監査を行うこともできる。図３０は、端末装置の表示部に表示される「ピッキング」モードの監査画面の表示例を示した図である。「ピッキング」モードは、スマートフォン端末などの表示部が比較的小さい端末を端末装置として用いる場合に適している。
【０１８６】
図３０（ａ）は、メニュー画面において「ピッキング」モードを選択した後に表示される表示例であり、これから調剤を行う患者の処方薬剤情報が患者情報欄に表示された状態を示している。
図３０（ｂ）は、１つの薬剤の薬剤バーコードの読み取りを行い、品目監査が行われた状態（品目一致表示）を示しており、当該薬剤のバー表示を患者情報欄から待機欄に移動させるとともに、薬剤バー表示の背景色が、品目が一致したことを示す色（例えば、黄色）で表示されている。
【０１８７】
図３０（ｃ）は、図３０（ｂ）に示した品目監査済の薬剤（所定数取り揃えた薬剤）を電子秤７Ａに載せて重量監査が行われた状態（重量一致表示）を示しており、当該薬剤のバー表示を待機欄から完了欄に移動させるとともに、薬剤バー表示の背景色が、重量が一致したことを示す色（例えば、白色）で表示されている。
図３０（ｄ）は、調剤する全ての薬剤について重量監査が行われた状態(重量一致表示)を示しており、全ての薬剤のバー表示が完了欄に表示されて、重量監査ＯＫ表示がされている。その後、監査完了情報がサーバ２０Ａに送信されて、サーバ２０Ａの記憶部２２Ａに監査済情報として登録され、その後、図３０（ｅ）に示す画面が表示される。
図３０（ｅ）は、当該患者の監査完了通知とともに、次の調剤対象患者の処方箋情報が患者情報欄に自動的に表示された表示例を示しており、調剤者は、直ちに次の患者の調剤作業に着手することができる。
【０１８８】
なお、「ピッキング」モードを実行している端末装置では、カメラ部が起動されないので、直接、電子秤７Ａで重量監査された薬剤の写真を撮ることができない。そこで、第１の端末装置として、電子秤７Ａで重量監査された薬剤の写真を撮影可能な「カメラモード」のタブレット端末を配置し、第２の端末装置として、「ピッキング」モードのスマートフォン端末を利用し、これら端末間で情報を共有する（すなわち、全ての端末で、同じ患者の調剤監査処理が実行される）システムとすることで、品目監査を上記スマートフォン端末で実行し、重量監査を上記タブレット端末で実行し、これら端末装置とサーバ間でデータを共有しながら監査処理を実行するように構成することもできる。
【０１８９】
上記実施の形態（２）に係る調剤監査システム１Ａによれば、バーコードリーダー９により薬剤（ピッキングした薬剤）の薬剤バーコード８ａが読み取られると、自動的に前記ピッキングした薬剤の品目が監査され、電子秤７Ａで薬剤（ピッキングした薬剤）が秤量されると、自動的に前記秤量された薬剤の重量が監査され、さらに、これらの調剤監査結果が自動的にサーバ２０Ａに登録される。
そのため、バーコードリーダー９で薬剤バーコード８ａを読み取る作業と、電子秤７Ａに薬剤を載せて秤量する作業とを行うだけで、ピッキングした薬剤の品目監査、重量監査、さらに監査結果の登録までを自動的に行うことができる。
したがって、調剤者は端末装置１０Ａに対して煩雑な操作を行うことなく、薬剤のピッキング作業と監査作業を効率良くかつ簡単に行うことができるとともに、薬剤の取り間違い及び計数間違いを防止することができる。さらに、１人の患者の監査結果を登録後、自動的に次の調剤対象患者の処方箋情報が表示されるので、次の調剤対象患者の薬剤を取り揃える作業及び監査作業にすぐに取り掛かることができ、作業効率を一層高めることができる。
【０１９０】
また、端末装置１０Ａのカメラ部１７により撮像された薬剤の撮像データが、調剤対象患者の調剤監査結果と関連付けてサーバ２０Ａの記憶部２２Ａに登録されるので、記憶部２２Ａに登録された前記撮像データを端末装置１０Ａの表示部１２に表示させることによって、前記撮像データに基づく調剤誤りの有無などについて後日確認することができ、監査結果の信頼性を高めることができる。
【０１９１】
また、調剤対象患者の処方薬剤が端末装置１０Ａの表示部１２の患者情報欄に一覧表示され、品目監査が実行された薬剤は待機欄に表示され、さらに重量監査が実行された薬剤は完了欄に移動させて表示されるので、作業者はこれら薬剤の表示形態を見るだけで各監査の状態を把握することができ、各監査の状態に応じた作業を速やかに実行することができ、作業性を高めることができる。
【０１９２】
また、端末装置１０Ａの表示部１２には、品目監査、重量監査、及び監査・登録の経過情報が表示されるので、作業者は、監査・登録の経過情報、例えば、監査完了情報や登録完了情報を確認することができ、監査・登録の経過状態を把握することができ、安心して作業を進めることができる。
【０１９３】
また、調剤監査システム１Ａによれば、端末装置１０Ａとして、例えば、タブレット端末、スマートフォン端末、ノート型パソコンなどの市販の汎用装置を使用し、また、サーバ２０Ａとして、例えば、パーソナルコンピュータ、ノートパソコンなどの市販の汎用装置を用いて、安価にシステムを構築することができる。したがって、小さな薬局への本システム導入も容易となり、また、規模に応じたシステムの拡張も容易かつ安価に実現することができる。
また、上記調剤監査システム１Ａに、上記調剤監査システム１の機能をさらに備えるようにすることができる。係る構成によれば、上記調剤監査システム１Ａにおいても、上記調剤監査システム１の機能により得られる効果を得ることができ、システムの機能及びユーザの利便性を一層高めることができる。
【符号の説明】
【０１９４】
１、１Ａ  調剤監査システム
２  調剤カゴ
３  カゴＩＣタグ
４  薬剤箱
５  薬剤ＩＣタグ
６  ユーザＩＣカード
７、７Ａ  電子秤
１０  携帯端末
１０Ａ  端末装置
２０、２０Ａ  サーバ
３０  レセプトコンピュータ
４０  通信ネットワーク
【図１】
2016218998.tif 000003
【図２】
2016218998.tif 000004
【図３】
2016218998.tif 000005
【図４】
2016218998.tif 000006
【図５】
2016218998.tif 000007
【図６】
2016218998.tif 000008
【図７】
2016218998.tif 000009
【図８−１】
2016218998.tif 000010
【図８−２】
2016218998.tif 000011
【図９】
2016218998.tif 000012
【図１０】
2016218998.tif 000013
【図１１】
2016218998.tif 000014
【図１２】
2016218998.tif 000015
【図１３】
2016218998.tif 000016
【図１４】
2016218998.tif 000017
【図１５−１】
2016218998.tif 000018
【図１５−２】
2016218998.tif 000019
【図１６】
2016218998.tif 000020
【図１７】
2016218998.tif 000021
【図１８】
2016218998.tif 000022
【図１９】
2016218998.tif 000023
【図２０】
2016218998.tif 000024
【図２１】
2016218998.tif 000025
【図２２】
2016218998.tif 000026
【図２３】
2016218998.tif 000027
【図２４】
2016218998.tif 000028
【図２５】
2016218998.tif 000029
【図２６】
2016218998.tif 000030
【図２７−１】
2016218998.tif 000031
【図２７−２】
2016218998.tif 000032
【図２８】
2016218998.tif 000033
【図２９】
2016218998.tif 000034
【図３０】
2016218998.tif 000035
【図３１】
2016218998.tif 000036